(57)【特許請求の範囲】
【請求項１】
スマートメータから通信を介して消費電力量を示す消費電力情報を取得する消費電力情報取得手段と、
上記通信が切断されたか否かを判定する切断判定手段と、
上記切断判定手段が、上記通信が切断されたと判定した場合、上記消費電力情報に関する１又は複数の処理内容の候補を示す処理内容情報を出力する処理内容情報出力手段と、を備えることを特徴とする電力管理装置。
【請求項２】
上記切断判定手段が、上記通信が切断されたと判定した場合、上記通信に関する１又は複数の切断要因の候補を示す切断要因情報を出力する切断要因情報出力手段をさらに備えることを特徴とする請求項１に記載の電力管理装置。
【請求項３】
上記１又は複数の切断要因の候補の各々を、上記１又は複数の処理内容の候補に関連付けて管理する管理手段と、
上記切断要因の候補のうち何れが選択されたのかを示す切断要因特定情報を取得する切断要因特定情報取得手段と、をさらに備え、
上記処理内容情報出力手段が出力する処理内容情報は、上記切断要因特定情報取得手段が取得した上記切断要因特定情報に関連付けられた処理内容を示すものであることを特徴とする請求項２に記載の電力管理装置。
【請求項４】
上記処理内容情報が示す１又は複数の処理内容の候補には、上記切断判定手段が、上記通信が切断されたと判定した期間における消費電力量をユーザに提示する提示処理が含まれることを特徴とする請求項１〜３の何れか１項に記載の電力管理装置。
【請求項５】
上記切断判定手段は、上記消費電力情報取得手段が上記消費電力情報を所定の期間、取得できなかった場合、上記通信が切断されたと判定することを特徴とする請求項１〜４の何れか１項に記載の電力管理装置。
【請求項６】
上記処理内容情報出力手段が出力した上記処理内容情報を取得し、上記処理内容情報が示す、上記消費電力情報に関する１又は複数の処理内容の候補を報知する報知手段をさらに備えることを特徴とする請求項１〜５の何れか１項に記載の電力管理装置。
【請求項７】
上記処理内容情報出力手段は、上記処理内容情報を、報知機器または外部サーバに出力することを特徴とする請求項１〜５の何れか１項に記載の電力管理装置。
【請求項８】
請求項１から７のいずれか１項に記載の電力管理装置としてコンピュータを機能させるための制御プログラムであって、コンピュータを上記各手段として機能させるための制御プログラム。
【請求項９】
スマートメータと電力管理装置とからなる電力管理システムであって、
上記スマートメータは、消費電力量を計測し、通信を介して当該消費電力量を示す消費電力情報を上記電力管理装置に対して出力する消費電力情報出力手段を備え、
上記電力管理装置は、
上記スマートメータから上記消費電力情報を取得する消費電力情報取得手段と、
上記通信が切断されたか否かを判定する切断判定手段と、
上記切断判定手段が、上記通信が切断されたと判定した場合、上記消費電力情報に関する１又は複数の処理内容の候補を示す処理内容情報を出力する処理内容情報出力手段と、を備えることを特徴とする電力管理システム。
【請求項１０】
スマートメータと電力管理装置とサーバと端末とからなる電力管理システムであって、
上記スマートメータは、消費電力量を計測し、通信を介して当該消費電力量を示す消費電力情報を上記電力管理装置に対して出力する消費電力情報出力手段を備え、
上記電力管理装置は、
上記スマートメータから上記消費電力情報を取得する消費電力情報管理装置取得手段と、
上記消費電力情報管理装置取得手段が取得した上記消費電力情報を上記サーバに対して出力する消費電力情報管理装置出力手段と、を備え、
上記サーバは、
上記電力管理装置から上記消費電力情報を取得する消費電力情報サーバ取得手段と、
上記通信が切断されたか否かを判定する切断判定手段と、
上記切断判定手段が、上記通信が切断されたと判定した場合、上記消費電力情報に関する１又は複数の処理内容の候補を示す処理内容情報を出力する処理内容情報出力手段と、を備え、
上記端末は、
上記サーバから上記処理内容情報を取得する処理内容情報取得手段と、
上記処理内容情報取得手段が取得した上記処理内容情報が示す、上記消費電力情報に関する１又は複数の処理内容の候補を報知する報知手段と、を備えることを特徴とする電力管理システム。
【請求項１１】
スマートメータと電力管理装置とサーバと端末とからなる電力管理システムであって、
上記スマートメータは、消費電力量を計測し、通信を介して当該消費電力量を示す消費電力情報を上記電力管理装置に対して出力する消費電力情報出力手段を備え、
上記電力管理装置は、
上記スマートメータから上記消費電力情報を取得する消費電力情報取得手段と、
上記通信が切断されたか否かを判定する切断判定手段と、
上記切断判定手段が、上記通信が切断されたと判定した場合、上記消費電力情報に関する１又は複数の処理内容の候補を示す処理内容情報を出力する処理内容情報管理装置出力手段と、を備え、
上記サーバは、
上記電力管理装置から上記処理内容情報を取得する処理内容情報サーバ取得手段と、
上記処理内容情報サーバ取得手段が取得した上記処理内容情報を上記端末に対して出力する処理内容情報サーバ出力手段と、を備え、
上記端末は、
上記サーバから上記処理内容情報を取得する処理内容情報端末取得手段と、
上記処理内容情報端末取得手段が取得した上記処理内容情報が示す、上記消費電力情報に関する１又は複数の処理内容の候補を報知する報知手段と、を備えることを特徴とする電力管理システム。
【請求項１２】
スマートメータから通信を介して消費電力量を示す消費電力情報を取得する電力管理装置から、当該消費電力情報を取得する消費電力情報取得手段と、
上記通信が切断されたか否かを判定する切断判定手段と、
上記切断判定手段が、上記通信が切断されたと判定した場合、上記消費電力情報に関する１又は複数の処理内容の候補を示す処理内容情報を出力する処理内容情報出力手段と、を備えることを特徴とするサーバ。
【請求項１３】
スマートメータから通信を介して消費電力量を示す消費電力情報を取得する電力管理装置が、上記通信が切断された場合に出力する処理内容情報であって、当該消費電力情報に関する１又は複数の処理内容の候補を示す処理内容情報を取得する処理内容情報取得手段と、
上記処理内容情報取得手段が取得した上記処理内容情報を出力する処理内容情報出力手段と、を備えることを特徴とするサーバ。
【請求項１４】
スマートメータから通信を介して消費電力量を示す消費電力情報を取得する電力管理装置が、上記通信が切断された場合に出力される処理内容情報であって、当該消費電力情報に関する１又は複数の処理内容の候補を示す処理内容情報を取得する処理内容情報取得手段と、
上記１又は複数の処理内容の候補を報知する報知手段と、を備えることを特徴とする端末。
【請求項１５】
消費電力量を計測し、通信を介して当該消費電力量を示す消費電力情報を出力する消費電力情報出力工程と、
上記消費電力情報出力工程において出力された上記消費電力情報を取得する消費電力情報取得工程と、
上記通信が切断されたか否かを判定する切断判定工程と、
上記切断判定工程において、上記通信が切断されたと判定された場合、上記消費電力情報に関する１又は複数の処理内容の候補を示す処理内容情報を出力する処理内容情報出力工程と、
上記処理内容情報出力工程において出力された上記処理内容情報を取得する処理内容情報取得工程と、
上記処理内容情報取得工程において取得された上記処理内容情報が示す、上記消費電力情報を処理する１又は複数の処理内容の候補を報知する報知工程と、を含むことを特徴とする電力管理方法。
【発明の詳細な説明】
【技術分野】
【０００１】
本発明は、消費電力計測装置と通信可能な電力管理装置、当該電力管理装置の制御プログラム、当該電力管理装置と通信可能なサーバおよび端末、当該電力管理装置と当該サーバと当該端末とを備える電力管理システム、および消費電力計測装置が計測した消費電力量の電力管理方法に関する。
【背景技術】
【０００２】
近年、需要家が使用した消費電力量を計測する消費エネルギー計測装置であって、通信機能を具備している消費エネルギー計測装置（以下、スマートメータとも称する）の導入が進んでいる。スマートメータは、消費電力量を示す消費電力情報を、通信機能を使って送受信することができるので、需要家は、過去に使用した消費電力量および現在使用している消費電力量を知ることができる。ここで、スマートメータが計測した消費電力量を示す消費電力情報が需要家に届くまでの経路について、図２８を参照して説明する。図２８は、従来技術におけるエネルギー管理システム１０００を模式的に示す図である。
【０００３】
図２８に示すように、需要家１１００は、需要家１１００が使用した消費電力量を示す消費電力量情報を、以下の３つの経路の何れかによって取得することができる。
【０００４】
・スマートメータ１３００は、消費電力量情報を電力会社１２００に出力する（矢印１００１）。電力会社１２００は、取得した消費電力情報を、需要家１１００に出力する（矢印１００２）（以下、Ａルートと称する）。
【０００５】
・スマートメータ１３００は、消費電力量情報を需要家１１００のエネルギー管理装置（ＨＥＭＳ（Home Energy Management System））１１６０に出力する（矢印１００３）（以下、Ｂルートと称する）。
【０００６】
・スマートメータ１３００は、消費電力情報をサービス事業者１４００に出力する（矢印１００４）。サービス事業者１４００は、取得した消費電力情報を、需要家１１００に出力する（矢印１００５）（以下、Ｃルートと称する）。
【０００７】
ＡルートまたはＣルートによって消費電力量情報を取得した需要家１１００は、ＰＣ１１２０やテレビ１１１０といった機器に、取得した消費電力量情報が示す消費電力量を表示させることにより、消費電力量を知ることができる。
【０００８】
一方、Ｂルートによって消費電力量情報を取得したＨＥＭＳ１１００は、ＩＨＤ１１３０を用いて消費電力量を表示できることに加えて、ＰＶ（photovoltaics）１１４０を制御するＰＣＳ（Power Conditioning Subsystem）１１５０と連携し、ＰＶ１１４０による発電を制御したり、テレビ１１１０などの家電の消費電力を制御したりすることができる。このＢルートに関して、近年、様々な技術が開示されている（特許文献１および２）。
【先行技術文献】
【特許文献】
【０００９】
【特許文献１】特開２０１３−２４０１３１号公報（２０１３年１１月２８日公開）
【特許文献２】特開２０１３−１０６３２２号公報（２０１３年５月３０日公開）
【非特許文献】
【００１０】
【非特許文献１】JSCAスマートハウス・ビル標準・事業促進検討会、”HEMS-スマートメーター（Bルート）運用ガイドライン［第1.0版］（案）”、［online］、［２０１３年５月１５日］、インターネット（URL：http://www.meti.go.jp/press/2013/05/20130515004/20130515004-5.pdf）
【発明の概要】
【発明が解決しようとする課題】
【００１１】
しかしながら、上述の従来技術では、Ｂルートにおいて、スマートメータとＨＥＭＳとの間の通信が途切れた場合の処理という点で、課題を有している。例えば、スマートメータは、所定の期間が経過すると交換することが義務付けられている。そのため、スマートメータが交換されると、スマートメータとＨＥＭＳ間の通信が途切れてしまう。また、ＨＥＭＳのユーザが引っ越しをした場合、スマートメータとＨＥＭＳ間の通信が途切れてしまう。
【００１２】
また、非特許文献１のＰ．８およびＰ．９には、移転（引っ越し）時における基本運用フローおよびスマートメータ交換時における基本運用フローがそれぞれ記載されている。これらの記載によると、移転時におけるＨＥＭＳとスマートメータとの再接続は、需要家がＨＥＭＳ内の履歴データおよび設定の削除を行い、スマートメータ交換時におけるＨＥＭＳとスマートメータとの再接続は、需要家が設定する必要はなく、ＨＥＭＳが自動で再接続を行うことになっている。しかしながら、上述の従来技術では、このように通信が途切れた場合は想定されていない。
【００１３】
また、非特許文献１によると、移転時は、需要家がＨＥＭＳの設定を削除する必要がある。しかしながら、ＨＥＭＳ内の履歴データに関しては、どのように扱うのか記載されていないため、需要家が意図したように履歴データを扱うことができない可能性がある。また、需要家は設定を削除することを忘れてしまう可能性もある。
【００１４】
本発明は、上記の課題に鑑みてなされたものであり、その目的は、ＨＥＭＳ（電力管理装置）とスマートメータ（消費電力計測装置）との間の通信が途切れた場合、当該通信が途切れたことをユーザに通知する技術を提供することにある。
【課題を解決するための手段】
【００１５】
上記の課題を解決するために、本発明の一態様に係る電力管理装置は、消費電力量を計測する消費電力計測装置から通信を介して当該消費電力量を示す消費電力情報を取得する消費電力情報取得手段と、上記通信が切断されたか否かを判定する切断判定手段と、上記切断判定手段が、上記通信が切断されたと判定した場合、上記消費電力情報に関する１又は複数の処理内容の候補を示す処理内容情報を出力する処理内容情報出力手段と、を備える。
【００１６】
また、上記の課題を解決するために、本発明の一態様に係る電力管理システムは、消費電力計測装置と電力管理装置とからなる電力管理システムであって、上記消費電力計測装置は、消費電力量を計測し、通信を介して当該消費電力量を示す消費電力情報を上記電力管理装置に対して出力する消費電力情報出力手段を備え、上記電力管理装置は、上記消費電力計測装置から上記消費電力情報を取得する消費電力情報取得手段と、上記通信が切断されたか否かを判定する切断判定手段と、上記切断判定手段が、上記通信が切断されたと判定した場合、上記消費電力情報に関する１又は複数の処理内容の候補を示す処理内容情報を出力する処理内容情報出力手段と、を備える。
【００１７】
また、上記の課題を解決するために、本発明の一態様に係る電力管理システムは、消費電力計測装置と電力管理装置とサーバと端末とからなる電力管理システムであって、上記消費電力計測装置は、消費電力量を計測し、通信を介して当該消費電力量を示す消費電力情報を上記電力管理装置に対して出力する消費電力情報出力手段を備え、上記電力管理装置は、上記消費電力計測装置から上記消費電力情報を取得する消費電力情報管理装置取得手段と、上記消費電力情報管理装置取得手段が取得した上記消費電力情報を上記サーバに対して出力する消費電力情報管理装置出力手段と、を備え、上記サーバは、上記電力管理装置から上記消費電力情報を取得する消費電力情報サーバ取得手段と、上記通信が切断されたか否かを判定する切断判定手段と、上記切断判定手段が、上記通信が切断されたと判定した場合、上記消費電力情報に関する１又は複数の処理内容の候補を示す処理内容情報を出力する処理内容情報出力手段と、を備え、上記端末は、上記サーバから上記処理内容情報を取得する処理内容情報取得手段と、上記処理内容情報取得手段が取得した上記処理内容情報が示す、上記消費電力情報に関する１又は複数の処理内容の候補を報知する報知手段と、を備える。
【００１８】
また、上記の課題を解決するために、本発明の一態様に係る電力管理システムは、消費電力計測装置と電力管理装置とサーバと端末とからなる電力管理システムであって、上記消費電力計測装置は、消費電力量を計測し、通信を介して当該消費電力量を示す消費電力情報を上記電力管理装置に対して出力する消費電力情報出力手段を備え、上記電力管理装置は、上記消費電力計測装置から上記消費電力情報を取得する消費電力情報取得手段と、上記通信が切断されたか否かを判定する切断判定手段と、上記切断判定手段が、上記通信が切断されたと判定した場合、上記消費電力情報に関する１又は複数の処理内容の候補を示す処理内容情報を出力する処理内容情報管理装置出力手段と、を備え、上記サーバは、上記電力管理装置から上記処理内容情報を取得する処理内容情報サーバ取得手段と、上記処理内容情報サーバ取得手段が取得した上記処理内容情報を上記端末に対して出力する処理内容情報サーバ出力手段と、を備え、上記端末は、上記サーバから上記処理内容情報を取得する処理内容情報端末取得手段と、上記処理内容情報端末取得手段が取得した上記処理内容情報が示す、上記消費電力情報に関する１又は複数の処理内容の候補を報知する報知手段と、を備える。
【００１９】
また、上記の課題を解決するために、本発明の一態様に係るサーバは、消費電力量を計測する消費電力計測装置から通信を介して当該消費電力量を示す消費電力情報を取得する電力管理装置から、当該消費電力情報を取得する消費電力情報取得手段と、上記通信が切断されたか否かを判定する切断判定手段と、上記切断判定手段が、上記通信が切断されたと判定した場合、上記消費電力情報に関する１又は複数の処理内容の候補を示す処理内容情報を出力する処理内容情報出力手段と、を備える。
【００２０】
また、上記の課題を解決するために、本発明の一態様に係るサーバは、消費電力量を計測する消費電力計測装置から通信を介して当該消費電力量を示す消費電力情報を取得する電力管理装置が、上記通信が切断された場合に出力する処理内容情報であって、当該消費電力情報に関する１又は複数の処理内容の候補を示す処理内容情報を取得する処理内容情報取得手段と、上記処理内容情報取得手段が取得した上記処理内容情報を出力する処理内容情報出力手段と、を備える。
【００２１】
また、上記の課題を解決するために、本発明の一態様に係る端末は、消費電力量を計測する消費電力計測装置から通信を介して当該消費電力量を示す消費電力情報を取得する電力管理装置が、上記通信が切断された場合に出力される処理内容情報であって、当該消費電力情報に関する１又は複数の処理内容の候補を示す処理内容情報を取得する処理内容情報取得手段と、上記１又は複数の処理内容の候補を報知する報知手段と、を備える。
【００２２】
また、上記の課題を解決するために、本発明の一態様に係る電力管理方法は、消費電力量を計測し、通信を介して当該消費電力量を示す消費電力情報を出力する消費電力情報出力工程と、上記消費電力情報出力工程において出力された上記消費電力情報を取得する消費電力情報取得工程と、上記通信が切断されたか否かを判定する切断判定工程と、上記切断判定工程において、上記通信が切断されたと判定された場合、上記消費電力情報に関する１又は複数の処理内容の候補を示す処理内容情報を出力する処理内容情報出力工程と、上記処理内容情報出力工程において出力された上記処理内容情報を取得する処理内容情報取得工程と、上記処理内容情報取得工程において取得された上記処理内容情報が示す、上記消費電力情報を処理する１又は複数の処理内容の候補を報知する報知工程と、を含む。
【発明の効果】
【００２３】
本発明の一態様によれば、電力管理装置と消費電力計測装置との間の通信が途切れた場合、ユーザの意図に沿った処理を実行することができる。
【図面の簡単な説明】
【００２４】
【図１】本発明の実施形態１に係るエネルギー管理システムの構成を示すブロック図である。
【図２】本発明の実施形態１におけるエネルギー管理装置のハードウェア構成の概略を示すブロック図である。
【図３】本発明の実施形態１に係るエネルギー管理システムにおける処理の流れを示すシーケンス図である。
【図４】本発明の実施形態１におけるエネルギー管理装置が、通信が切断された旨を報知する例を示す図である。
【図５】本発明の実施形態１におけるエネルギー管理装置が、切断要因の候補を報知する例を示す図である。
【図６】本発明の実施形態１におけるエネルギー管理装置が、報知内容を報知する例を示す図である。
【図７】本発明の実施形態２に係るエネルギー管理システムの構成を示すブロック図である。
【図８】本発明の実施形態２における報知機器のハードウェア構成の概略を示すブロック図である。
【図９】本発明の実施形態２に係るエネルギー管理システムにおける処理の流れを示すシーケンス図である。
【図１０】本発明の実施形態２における報知機器が報知する例を示す図である。
【図１１】本発明の実施形態３に係るエネルギー管理システムの構成を示すブロック図である。
【図１２】本発明の実施形態３におけるサーバのハードウェア構成の概略を示すブロック図である。
【図１３】本発明の実施形態３に係るエネルギー管理システムにおける処理の流れを示すシーケンス図である。
【図１４】本発明の実施形態４に係るエネルギー管理システムの構成を示すブロック図である。
【図１５】本発明の実施形態４に係るエネルギー管理システムにおける処理の流れを示すシーケンス図である。
【図１６】本発明の実施形態４におけるエネルギー管理装置が、切断要因の候補を報知する例を示す図である。
【図１７】本発明の実施形態４におけるエネルギー管理装置が、切断要因の候補を報知する他の例を示す図である。
【図１８】本発明の実施形態４におけるエネルギー管理装置が、処理内容を報知する例を示す図である。
【図１９】図１９は、本発明の実施形態４におけるエネルギー管理装置が、処理内容を報知する他の例を示す図である。
【図２０】本発明の実施形態４におけるエネルギー管理装置が処理内容を実行した場合に表示されるグラフの画像の例である。
【図２１】本発明の実施形態４におけるエネルギー管理装置が処理内容を実行した場合に表示されるグラフの画像の他の例である。
【図２２】本発明の実施形態５に係るエネルギー管理システムの構成を示すブロック図である。
【図２３】本発明の実施形態５に係るエネルギー管理システムにおける処理の流れを示すシーケンス図である。
【図２４】本発明の実施形態６に係るエネルギー管理システムの構成を示すブロック図である。
【図２５】本発明の実施形態７に係るエネルギー管理システムにおける処理の流れを示すシーケンス図である。
【図２６】本発明の実施形態７に係るエネルギー管理システムの構成を示すブロック図である。
【図２７】本発明の実施形態７に係るエネルギー管理システムにおける処理の流れを示すシーケンス図である。
【図２８】従来技術におけるエネルギー管理システムを模式的に示す図である。
【発明を実施するための形態】
【００２５】
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００２６】
〔実施形態１〕
以下、本発明の実施の形態について、図１〜図６に基づいて説明すれば、以下のとおりである。
【００２７】
（エネルギー管理システム１）
図１は、本発明の実施形態１に係るエネルギー管理システム（電力管理システム）１の構成を示すブロック図である。図１に示すように、エネルギー管理システム１は、エネルギー管理装置（電力管理装置）１０および消費エネルギー計測装置（消費電力計測装置）３０によって構成されている。エネルギー管理システム１では、消費エネルギー計測装置３０は、計測した消費エネルギー量（消費電力量）の積算値を示す消費エネルギー情報（消費電力情報）をエネルギー管理装置１０に対して出力する。エネルギー管理装置１０は、消費エネルギー計測装置３０から取得した消費エネルギー情報を処理することにより、ユーザに対して消費エネルギーに関する情報を提供することができる。エネルギー管理装置１０は、例えば、ＨＥＭＳ（Home Energy Management System）を操作する装置や、ＨＥＭＳを操作するためのアプリケーションを備えた端末（例えば、スマートフォン）であり、消費エネルギー計測装置３０は、例えば、消費電力量を計測するスマートメータである。
【００２８】
また、本明細書では、消費エネルギー計測装置３０から出力される消費エネルギー情報は、所定の間隔（例えば、３０分、１時間、１日など）でエネルギー管理装置１０にプッシュ送信される構成としているが、これに限定されない。例えば、エネルギー管理装置１０が所定の間隔（例えば、３０分、１時間、１日など）で消費エネルギー計測装置３０に対して問い合わせを行い、当該問い合わせへの応答として、消費エネルギー計測装置３０がエネルギー管理装置１０に消費エネルギー情報を出力する構成であってもよい。また、エネルギー管理装置１０のユーザから消費エネルギー情報を取得する旨の操作を受け付けた場合に、消費エネルギー計測装置３０に対して問い合わせを行う構成であってもよい。
【００２９】
ここで、エネルギー管理装置１０と消費エネルギー計測装置３０とのネットワーク２を介する通信の具体的な例について、説明する。
【００３０】
エネルギー管理装置１０は、消費エネルギー計測装置３０各々に紐付けられている認証ＩＤおよびパスワードを設定することにより、消費エネルギー計測装置３０との通信を確立することができる。そのため、エネルギー管理装置１０のユーザが引っ越しをして、新たな消費エネルギー計測装置３０とエネルギー管理装置１０との通信を確立する場合、新たな消費エネルギー計測装置３０に紐付けられた認証ＩＤおよびパスワードを、エネルギー管理装置１０に設定する必要がある。また、消費エネルギー計測装置３０を交換した場合においても、同様に、新たな消費エネルギー計測装置３０に紐付けられた認証ＩＤおよびパスワードを、エネルギー管理装置１０に設定する必要がある。
【００３１】
また、エネルギー管理装置１０と消費エネルギー計測装置３０との間の通信において、以下の３つを基本要件とする。
【００３２】
・ＩＰｖ６を利用する
・他のドメインへＩＰルーティングで接続することは行わない
・エネルギー管理装置１０と消費エネルギー計測装置３０とは１対１の接続形態とする
また、エネルギー管理装置１０と消費エネルギー計測装置３０との間の通信のミドルウェアは、Ｅｃｈｏｎｅｔ−Ｌｉｔｅ対応である。
【００３３】
（エネルギー管理装置１０）
エネルギー管理装置１０は、図１に示すように、管理装置通信部１１および管理装置制御部１２を備えている。
【００３４】
管理装置通信部１１は、ネットワーク２を介して、消費エネルギー計測装置３０から消費エネルギー情報を取得することができる機能を備えている。
【００３５】
管理装置制御部１２は、エネルギー管理装置１０の各構成を統括的に制御するものである。管理装置制御部１２の詳細について、以下に説明する。
【００３６】
（管理装置制御部１２）
管理装置制御部１２は、図１に示すように、消費エネルギー情報取得部（消費電力情報取得手段）１３、消費エネルギー情報処理部１４、切断情報出力部１５、報知部１６、入力受付部１７、切断要因特定情報取得部１８、報知内容情報出力部１９、および切断判定部（切断判定手段）２５としても機能する。
【００３７】
消費エネルギー情報取得部１３は、管理装置通信部１１を制御し、管理装置通信部１１が取得した消費エネルギー情報を取得する。
【００３８】
消費エネルギー情報処理部１４は、消費エネルギー情報取得部１３が取得した消費エネルギー情報を処理する。消費エネルギー情報処理部１４の処理内容の例として、取得した消費エネルギー情報の時系列データをグラフ化する処理が挙げられる。なお、消費エネルギー情報処理部１４の処理内容については、後述する実施形態において詳しく説明する。
【００３９】
切断情報出力部１５は、エネルギー管理装置１０と消費エネルギー計測装置３０との通信が切断された場合、エネルギー管理装置１０と消費エネルギー計測装置３０との間の通信が切断された旨を示す切断情報を出力する。また、切断情報出力部１５は、切断情報に加えて、通信が切断された１又は複数の切断要因の候補を示す切断要因情報を出力する。
【００４０】
報知部１６は、取得した情報が示す内容を報知する。報知部１６が報知する方法の例として、本実施形態では、画像を表示する、を挙げているが、これに限定されず、人工音声を出力する、振動する、光を発する、またはこれらの組合せによって報知してもよい。
【００４１】
入力受付部１７は、ユーザが入力した情報を受け付ける。
【００４２】
切断要因特定情報取得部１８は、切断情報出力部１５が出力する切断要因情報が示す切断要因の候補のうち、何れが選択されたのかを示す切断要因特定情報を取得する。
【００４３】
報知内容情報出力部１９は、切断要因特定情報取得部１８が取得した切断要因特定情報に関連付けられた報知内容を示す報知内容情報を出力する。報知内容の詳細については、後述する。
【００４４】
切断判定部２５は、エネルギー管理装置１０と消費エネルギー計測装置３０との通信が切断されているか否かを判定する。切断判定部２５が、エネルギー管理装置１０と消費エネルギー計測装置３０との通信が切断されていると判定する方法の例として、以下を挙げることができる。
【００４５】
・消費エネルギー情報取得部１３が、所定の期間、消費エネルギー情報を取得できなかった場合、消費エネルギー情報取得部１３は、切断判定部２５に、所定の期間、消費エネルギー情報を取得できなかった旨を示す情報を出力する。切断判定部２５は、消費エネルギー情報取得部１３から、所定の期間、消費エネルギー情報を取得できなかった旨を示す情報を取得すると、エネルギー管理装置１０と消費エネルギー計測装置３０との通信が切断されていると判定する。
【００４６】
・管理装置通信部１１が有線通信によって消費エネルギー計測装置３０から消費エネルギー情報を取得することができる場合、切断判定部２５は、管理装置通信部１１に通信用のケーブルが繋がっているか否かを検知する。切断判定部２５が、管理装置通信部１１に通信用のケーブルが繋がっていないことを検知した場合、切断判定部２５は、エネルギー管理装置１０と消費エネルギー計測装置３０との通信が切断されていると判定する。
【００４７】
・管理装置通信部１１が無線通信によって消費エネルギー計測装置３０から消費エネルギー情報を取得することができる場合、切断判定部２５は、管理装置通信部１１が無線通信を確立できているか否かを検知する。切断判定部２５が、管理装置通信部１１は無線通信を確立できていないことを検知した場合、切断判定部２５は、エネルギー管理装置１０と消費エネルギー計測装置３０との通信が切断されていると判定する。
【００４８】
（エネルギー管理装置１０のハードウェア構成）
図２は、本発明の実施形態１におけるエネルギー管理装置１０のハードウェア構成の概略を示すブロック図である。図２に示すように、エネルギー管理装置１０は、通信部１１０、制御部１２０、記憶部１３０、操作部１４０、表示部１５０、および音声出力部１６０を備えている。
【００４９】
通信部１１０は、ネットワーク２を介して、エネルギー管理装置１０と消費エネルギー計測装置３０とを通信可能に接続するためのインターフェースであり、管理装置通信部１１の機能を実現するためのものである。
【００５０】
制御部１２０として利用可能なデバイスとしては、ＣＰＵ（Central Processing Unit
）を挙げることができる。
【００５１】
記憶部１３０は、主記憶部および補助記憶部を備えている。記憶部１３０の主記憶として利用可能なデバイスとしては、例えば、半導体ＲＡＭ（random access memory）を挙げることができる。また、記憶部１３０の補助記憶部として利用可能なデバイスとしては、例えば、ハードディスクドライブ（ＨＤＤ）を挙げることができる。補助記憶部には、エネルギー管理装置１０として動作させるための制御プログラムが記憶されている。制御プログラムは、管理装置制御部１２の機能を実現するためのプログラムである。
【００５２】
操作部１４０は、エネルギー管理装置１０に対するユーザ操作を受け付けるためのユーザインターフェースであり、利用可能なデバイスとして、ハードキー、スイッチ、マウス、またはタッチパネルなどが挙げられる。操作部１４０は、入力受付部１７の機能を実現するためのものである。
【００５３】
表示部１５０は、制御部１２０から出力された画像信号が示す画像を表示する装置である。音声出力部１６０は、制御部１２０から出力された音声信号が示す人工音声を出力する装置である。表示部１５０および音声出力部１６０は、報知部１６の機能を実現するためのものである。
【００５４】
（消費エネルギー計測装置３０）
消費エネルギー計測装置３０は、図１に示すように、計測装置通信部３１、消費エネルギー計測部３２、および消費エネルギー情報出力部（消費電力情報出力手段）３３を備えている。
【００５５】
計測装置通信部３１は、ネットワーク２を介して、エネルギー管理装置１０に対して消費エネルギー情報を出力することができる機能を備えている。
【００５６】
消費エネルギー計測部３２は、消費エネルギー量を計測する。
【００５７】
消費エネルギー情報出力部３３は、消費エネルギー計測部３２が計測した消費エネルギー量を示す消費エネルギー情報を、計測装置通信部３１を介して出力する。
【００５８】
（エネルギー管理システム１における処理）
図３は、本発明の実施形態１に係るエネルギー管理システム１における処理の流れを示すシーケンス図である。エネルギー管理システム１における処理の流れについて、図３を用いて説明する。
【００５９】
（ステップＳ１）
消費エネルギー計測装置３０の消費エネルギー計測部３２は、計測した消費エネルギー量を示す消費エネルギー情報を、消費エネルギー情報出力部３３に出力する。消費エネルギー情報出力部３３は、取得した消費エネルギー情報を、計測装置通信部３１を介して、エネルギー管理装置１０に出力する。
【００６０】
（ステップＳ２）
エネルギー管理装置１０の消費エネルギー情報取得部１３は、消費エネルギー情報を取得したか否かを判定する。
【００６１】
ステップＳ２において、「消費エネルギー情報を取得している」と判定された場合（ステップＳ２：ＹＥＳ）、消費エネルギー情報取得部１３は、取得した消費エネルギー情報を消費エネルギー情報処理部１４に出力し、図３の処理は終了する。
【００６２】
（ステップＳ３）
一方、ステップＳ２において、「消費エネルギー情報を取得していない」と判定された場合（ステップＳ２：ＮＯ）、切断判定部２５は、通信が切断されたか否かを判定する。
【００６３】
ステップＳ３において、「通信は切断されていない」と判定された場合（ステップＳ３：ＮＯ）、消費エネルギー情報取得部１３は、消費エネルギー情報を取得したか否かを判定するため、ステップＳ２の処理に戻る。
【００６４】
（ステップＳ４）
一方、ステップＳ３において、「通信は切断された」と判定された場合（ステップＳ３：ＹＥＳ）、切断判定部２５は、通信が切断された旨を、切断情報出力部１５に通知する。切断情報出力部１５は、当該通知を受け取ると、エネルギー管理装置１０と消費エネルギー計測装置３０との間の通信が切断された旨を示す切断情報を、報知部１６に出力する。報知部１６は、切断情報を取得すると、通信が切断された旨を報知する。報知部１６が、通信が切断された旨を報知する例を、図４に示す。
【００６５】
図４は、本発明の実施形態１におけるエネルギー管理装置１０が、通信が切断された旨を報知する例を示す図である。図４に示すように、報知部１６は、通信が切断された旨を報知する例として、通信が切断された旨を示すテキスト画像「通信途切れが発生しました。」を含む画像を表示することが挙げられる。
【００６６】
（ステップＳ５）
切断情報出力部１５は、切断情報に加えて、通信が切断された１又は複数の切断要因の候補を示す切断要因情報を、報知部１６に出力する。報知部１６は、切断要因情報を取得すると、当該切断要因情報が示す切断要因の候補を報知する。報知部１６が、切断要因の候補を報知する例を、図５に示す。
【００６７】
図５は、本発明の実施形態１におけるエネルギー管理装置１０が、切断要因の候補を報知する例を示す図である。図５の（ａ）に示すように、報知部１６が切断要因の候補を報知する例として、切断要因の候補を示すテキスト画像「スマートメータを交換した」「引っ越した」「停電があった」「管理装置の電源が落ちていた」「特に上記のことは起きていない」を含む画像を表示することが挙げられる。
【００６８】
また、報知部１６は、ステップＳ４における通信が切断された旨の報知と共に、ステップＳ５における切断要因の候補の報知を行ってもよい。例えば、図５の（ｂ）に示すように、報知部１６は、通信が切断された旨を示すテキスト画像「通信途切れが発生しました」と共に、切断要因の候補を示すテキスト画像「スマートメータを交換した」「引っ越した」「停電があった」「特に上記のことは起きていない」を含む画像を表示する構成であってもよい。
【００６９】
また、報知部１６は、ステップＳ４において、通信が切断された旨の報知と共に、切断要因の候補を報知するか否かをユーザに問い合わせる構成であってもよい。例えば、図５の（ｃ）に示すように、報知部１６は、通信が切断された旨を示すテキスト画像「通信途切れが検出されました」と共に、切断要因の候補を報知する旨の入力を受け付ける「原因を特定する」ボタンを含む画像を表示する。入力受付部１７が「原因を特定する」ボタン押下の入力を受け付けた場合、切断情報出力部１５は、切断要因情報を報知部に出力する。一方、入力受付部１７が、切断要因の候補を報知しない旨の入力を受け付ける「ＯＫ」ボタン押下の入力を受け付けた場合、図３の処理は終了する構成としてもよい。
【００７０】
（ステップＳ６）
切断要因特定情報取得部１８は、報知部１６がステップＳ５において報知した切断要因の候補のうち、何れが選択されたのかを示す切断要因特定情報を、入力受付部１７から取得する。例えば、図５の（ａ）において、入力受付部１７が、「引っ越した」が選択された状態において「ＯＫ」ボタン押下の入力を受け付けた場合、切断要因特定情報取得部１８は、切断要因の候補のうち、「引っ越した」が選択されたことを示す切断要因特定情報を取得する。そして、切断要因特定情報取得部１８は、取得した切断要因特定情報を、報知内容情報出力部１９に出力する。
【００７１】
（ステップＳ７）
報知内容出力部１９は、取得した切断要因特定情報に関連付けられた報知内容を示す報知内容情報を、報知部１６に出力する。報知部１６は、取得した報知内容情報が示す報知内容を報知する。ここで、報知部１６が報知内容を報知する例を、図６に示す。図６は、本発明の実施形態１におけるエネルギー管理装置１０が、報知内容を報知する例を示す図である。
【００７２】
例えば、報知内容情報出力部１９が取得した切断要因特定情報が、「引っ越した」が選択されたことを示す場合、報知内容情報出力部１９は、「引っ越した」を示す切断要因特定情報に関連付けられた報知内容（例えば、「管理装置の初期化が必要です。」）を示す報知内容情報を、報知部１６に出力する。報知部１６は、図６の（ａ）に示すように、取得した報知内容情報が示す報知内容のテキスト画像「管理装置の初期化が必要です。」を含む画像を表示する。なお、図６の（ａ）に示すように、報知内容にエネルギー管理装置１０の処理内容（エネルギー管理装置１０の初期化）が含まれている場合、当該処理内容を実行するか否かをユーザに問い合わせる内容（初期化しますか？）を含めてもよい。
【００７３】
また、例えば、報知内容情報出力部１９が取得した切断要因特定情報が、「スマートメータを交換した」が選択されたことを示す場合、報知内容情報出力部１９は、「スマートメータを交換した」を示す切断要因特定情報に関連付けられた報知内容（例えば、「スマートメータからのデータを補正し、以前のデータと連続した表示を行います。」）を示す報知内容情報を、報知部１６に出力する。報知部１６は、図６の（ｂ）に示すように、取得した報知内容情報が示す報知内容のテキスト画像「スマートメータからのデータを補正し、以前のデータと連続した表示を行います。」を含む画像を表示する。
【００７４】
また、例えば、報知内容情報出力部１９が取得した切断要因特定情報が、「管理装置の電源が落ちていた」が選択されたことを示す場合、報知内容情報出力部１９は、「管理装置の電源が落ちていた」を示す切断要因特定情報に関連付けられた報知内容（例えば、「管理装置の電源が落ちていた間のデータを平均化して表示を行います。」）を示す報知内容情報を、報知部１６に出力する。報知部１６は、図６の（ｃ）に示すように、取得した報知内容情報が示す報知内容のテキスト画像「管理装置の電源が落ちていた間のデータを平均化して表示を行います。」を含む画像を表示する。
【００７５】
また、例えば、報知内容情報出力部１９が取得した切断要因特定情報が、「停電があった」が選択されたことを示す場合、報知内容情報出力部１９は、「停電があった」を示す切断要因特定情報に関連付けられた報知内容（例えば、「以前のデータと連続した表示を行います。」）を示す報知内容情報を、報知部１６に出力する。報知部１６は、図６の（ｄ）に示すように、取得した報知内容情報が示す報知内容のテキスト画像「以前のデータと連続した表示を行います」を含む画像を表示する。
【００７６】
このように、実施形態１に係るエネルギー管理システム１では、エネルギー管理装置１０と消費エネルギー計測装置３０との間の通信が途切れると、エネルギー管理装置１０は、当該通信が切断された旨を報知する。したがって、エネルギー管理システム１は、エネルギー管理装置１０と消費エネルギー計測装置３０との間の通信が途切れた場合、当該通信が途切れたことをユーザに通知することができる。
【００７７】
また、実施形態１に係るエネルギー管理システム１では、エネルギー管理装置１０と消費エネルギー計測装置３０との間の通信が途切れると、エネルギー管理装置１０は当該通信が切断された旨に加えて、当該通信が途切れた切断要因の候補を報知する。したがって、エネルギー管理システム１は、ユーザに切断要因を特定させることができる。
【００７８】
また、実施形態１に係るエネルギー管理システム１では、エネルギー管理装置１０は、通信が途切れた切断要因の候補を報知する。そして、エネルギー管理装置１０は、当該切断要因の候補のうち何れが選択されたのかを示す切断要因特定情報を取得し、当該切断要因特定情報に関連付けられた報知内容を報知する。したがって、エネルギー管理システム１は、切断要因に応じた処理を実行することができる。
【００７９】
〔実施形態２〕
本発明の他の実施形態について、図７〜図１０に基づいて説明すれば、以下のとおりである。なお、説明の便宜上、前記実施形態にて説明した部材と同じ機能を有する部材については、同じ符号を付記し、その説明を省略する。
【００８０】
図７は、本発明の実施形態２に係るエネルギー管理システム１ａの構成を示すブロック図である。図７に示すように、エネルギー管理システム１ａは、エネルギー管理装置１０ａ、消費エネルギー計測装置３０、および報知機器４０によって構成されている。実施形態１に係るエネルギー管理システム１では、エネルギー管理装置１０が報知していたが、報知機器４０が報知する構成であってもよい。
【００８１】
エネルギー管理装置１０ａは、図７に示すように、実施形態１におけるエネルギー管理装置１０の管理装置制御部１２に替えて、管理装置制御部１２ａを備えている。
【００８２】
管理装置制御部１２ａは、実施形態１における管理装置制御部１２の報知部１６および入力受付部１７として機能しない構成になっている。
【００８３】
（報知機器４０）
報知機器４０は、図７に示すように、報知機器通信部４１、報知情報取得部４２、報知部４３、および操作受付部４４を備えている。本実施形態において、報知機器４０の例としてスマートフォン４０ａおよびロボット掃除機４０ｂを挙げているが、これに限定されず、後述する報知部４３を備えている機器であればよい。
【００８４】
報知機器通信部４１は、ネットワーク２を介して、エネルギー管理装置１０ａと情報の送受信をすることができる機能を備えている。
【００８５】
報知情報取得部４２は、報知機器通信部４１を制御し、報知機器４０において報知する情報を取得する。
【００８６】
報知部４３は、取得した情報が示す内容を報知する。報知部４３が報知する方法の例として、本実施形態では、画像を表示する、人工音声を出力する、を挙げているが、これに限定されず、振動する、光を発する、またはこれらの組合せによって報知してもよい。
【００８７】
操作受付部４４は、ユーザによる操作を受け付ける。より具体的には、操作受付部４４は、報知した候補のうち、何れが選択されたのかを示す情報を取得する。
【００８８】
（報知機器４０のハードウェア構成）
図８は、本発明の実施形態２における報知機器４０のハードウェア構成の概略を示すブロック図である。図８に示すように、報知機器４０は、通信部４１０、制御部４２０、記憶部４３０、操作部４４０、表示部４５０、および音声出力部４６０を備えている。
【００８９】
通信部４１０は、ネットワーク２を介して、報知機器４０とエネルギー管理装置１０ａとを通信可能に接続するためのインターフェースであり、報知機器通信部４１の機能を実現するためのものである。
【００９０】
制御部４２０として利用可能なデバイスとしては、ＣＰＵを挙げることができる。
【００９１】
記憶部４３０は、主記憶部および補助記憶部を備えている。記憶部４３０の主記憶として利用可能なデバイスとしては、例えば、半導体ＲＡＭを挙げることができる。また、記憶部４３０の補助記憶部として利用可能なデバイスとしては、例えば、ハードディスクドライブを挙げることができる。補助記憶部には、報知機器４０として動作させるための制御プログラムが記憶されている。制御プログラムは、報知情報取得部４２、報知部４３、および操作受付部４４の機能を実現するためのプログラムである。
【００９２】
操作部４４０は、報知機器４０に対するユーザ操作を受け付けるためのユーザインターフェースであり、利用可能なデバイスとして、ハードキー、スイッチなどが挙げられる。操作部４４０は、操作受付部４４の機能を実現するためのものである。
【００９３】
表示部４５０は、制御部４２０から出力された画像信号が示す画像を表示する装置である。音声出力部４６０は、制御部４２０から出力された音声信号が示す人工音声を出力する装置である。表示部４５０および音声出力部４６０は、報知部４３の機能を実現するためのものである。
【００９４】
（エネルギー管理システム１ａにおける処理）
図９は、本発明の実施形態２に係るエネルギー管理システム１ａにおける処理の流れを示すシーケンス図である。エネルギー管理システム１ａにおける処理の流れについて、図９を用いて説明する。
【００９５】
消費エネルギー計測装置３０が、消費エネルギー情報をエネルギー管理装置１０ａに対して出力し、エネルギー管理装置１０ａが、通信が切断されたか否かを判定するステップＳ１〜ステップＳ３については、上述した処理と同じであるため、詳細は省略する。
【００９６】
（ステップＳ１０）
ステップＳ３において、「通信は切断された」と判定された場合（ステップＳ３：ＹＥＳ）、エネルギー管理装置１０ａの切断判定部２５は、通信が切断された旨を、切断情報出力部１５に通知する。切断情報出力部１５は、当該通知を受け取ると、切断情報および切断要因情報を、管理装置通信部１１を介して報知機器４０に対して出力する。
【００９７】
（ステップＳ１１）
報知機器４０の報知情報取得部４２は、報知機器通信部４１を介して、切断情報および切断要因情報を取得する。報知情報取得部４２は、取得した切断情報および切断要因情報を、報知部４３に出力する。
【００９８】
（ステップＳ１２）
報知部４３は、切断情報および切断要因情報を取得すると、通信が切断された旨および切断要因の候補を報知する。報知部４３が、通信が切断された旨および切断要因の候補を報知する例を、図１０に示す。
【００９９】
図１０は、本発明の実施形態２における報知機器４０が報知する例を示す図である。例えば、報知機器４０がスマートフォン４０ａであった場合、図１０の（ａ）に示すように、スマートフォン４０ａは、表示部を報知部４３として、通信が切断された旨を示すテキスト画像「通信途切れが発生しました」と、切断要因の候補を示すテキスト画像「スマートメータを交換した」、「引っ越した」、「停電があった」、「特に上記のことは起きていない」とを含む画像を表示する。
【０１００】
また、例えば、報知機器４０がロボット掃除機４０ｂであった場合、図１０の（ｂ）に示すように、ロボット掃除機４０ｂは、音声出力部を報知部４３として、通信が切断された旨を示す人工音声「通信途切れが発生しました」を出力する。
【０１０１】
なお、報知部４３が、通信が切断された旨および切断要因の候補を報知する構成は、実施形態１において説明したように、通信が切断された旨と共に切断要因の候補を報知する構成であっても、通信が切断された旨を報知した後、切断要因の候補を報知する構成であってもよい。
【０１０２】
（ステップＳ１３）
報知機器４０の操作受付部４４は、ステップＳ１２において報知した切断要因の候補のうち、何れが選択されたのかを示す切断要因特定情報を取得する。そして、操作受付部４４は、取得した切断要因特定情報を、報知機器通信部４１を介してエネルギー管理装置１０ａに出力する。
【０１０３】
（ステップＳ１４）
エネルギー管理装置１０ａの切断要因特定情報取得部１８は、管理装置通信部１１を介して、切断要因特定情報を取得する。そして、切断要因特定情報取得部１８は、取得した切断要因特定情報を、報知内容情報出力部１９に出力する。
【０１０４】
（ステップＳ１５）
報知内容情報出力部１９は、取得した切断要因特定情報に関連付けられた報知内容を示す報知内容情報を、管理装置通信部１１を介して報知機器４０に出力する。
【０１０５】
（ステップＳ１６）
報知機器４０の報知情報取得部４２は、報知機器通信部４１を介して、報知内容情報を取得する。そして、報知機情報取得部４２は、取得した報知内容情報を、報知部４３に出力する。
【０１０６】
（ステップＳ１７）
報知部４３は、報知内容情報を取得すると、報知内容情報が示す報知内容を報知する。
【０１０７】
このように、実施形態２に係るエネルギー管理システム１ａでは、エネルギー管理装置１０と消費エネルギー計測装置３０との間の通信が途切れると、報知機器４０は、当該通信が切断された旨を報知する。したがって、エネルギー管理システム１は、エネルギー管理装置１０と消費エネルギー計測装置３０との間の通信が途切れた場合、当該通信が途切れたことをユーザに通知することができる。
【０１０８】
〔実施形態３〕
本発明の他の実施形態について、図１１〜図１３に基づいて説明すれば、以下のとおりである。なお、説明の便宜上、前記実施形態にて説明した部材と同じ機能を有する部材については、同じ符号を付記し、その説明を省略する。
【０１０９】
図１１は、本発明の実施形態３に係るエネルギー管理システム１ｂの構成を示すブロック図である。図１１に示すように、エネルギー管理システム１ｂは、エネルギー管理装置１０ｂ、消費エネルギー計測装置３０、報知機器４０、およびサーバ５０によって構成されている。実施形態２に係るエネルギー管理システム１ａでは、エネルギー管理装置１０と報知機器４０とが情報の送受信を行ったが、エネルギー管理装置１０と報知機器４０とが、サーバ５０を介して情報の送受信を行ってもよい。
【０１１０】
（エネルギー管理装置１０ｂ）
エネルギー管理装置１０ｂは、図１１に示すように、第１の管理装置通信部１１ａ、第２の管理装置通信部１１ｂ、および管理装置制御部１２ｂを備えている。管理装置制御部１２ｂは、上述した管理装置制御部１２ａと同様の構成のため、詳細な説明を省略する。
【０１１１】
第１の管理装置通信部１１ａは、ネットワーク２ａを介して、消費エネルギー計測装置３０から消費エネルギー情報を取得することができる機能を備えている。
【０１１２】
第２の管理装置通信部１１ｂは、ネットワーク２ｂを介して、サーバ５０または報知機器４０と情報を送受信することができる機能を備えている。
【０１１３】
（サーバ５０）
サーバ５０は、図１１に示すように、サーバ通信部５１、情報取得部５２、および情報出力部５３を備えている。
【０１１４】
サーバ通信部５１は、ネットワーク２を介して、エネルギー管理装置１０ｂまたは報知機器４０と情報の送受信をすることができる機能を備えている。
【０１１５】
情報取得部５２は、サーバ通信部５１を制御し、エネルギー管理装置１０ｂまたは報知機器４０から出力された情報を取得する。
【０１１６】
情報出力部５３は、サーバ通信部５１を制御し、情報取得部５２が取得した情報をエネルギー管理装置１０ｂまたは報知機器４０に出力する。
【０１１７】
（サーバ５０のハードウェア構成）
図１２は、本発明の実施形態３におけるサーバ５０のハードウェア構成の概略を示すブロック図である。図１２に示すように、サーバ５０は、通信部５１０、制御部５２０、および記憶部５３０を備えている。
【０１１８】
通信部５１０は、ネットワーク２を介して、サーバ５０とエネルギー管理装置１０ｂまたは報知機器４０とを通信可能に接続するためのインターフェースであり、サーバ通信部４１の機能を実現するためのものである。
【０１１９】
制御部５２０として利用可能なデバイスとしては、ＣＰＵを挙げることができる。
【０１２０】
記憶部５３０は、主記憶部および補助記憶部を備えている。記憶部５３０の主記憶として利用可能なデバイスとしては、例えば、半導体ＲＡＭを挙げることができる。また、記憶部５３０の補助記憶部として利用可能なデバイスとしては、例えば、ハードディスクドライブを挙げることができる。補助記憶部には、サーバ５０として動作させるための制御プログラムが記憶されている。制御プログラムは、情報取得部５２および情報出力部５３の機能を実現するためのプログラムである。
【０１２１】
（エネルギー管理システム１ｂにおける処理）
図１３は、本発明の実施形態３に係るエネルギー管理システム１ｂにおける処理の流れを示すシーケンス図である。エネルギー管理システム１ｂにおける処理の流れについて、図１３を用いて説明する。
【０１２２】
消費エネルギー計測装置３０が、消費エネルギー情報をエネルギー管理装置１０ｂに対して出力し、エネルギー管理装置１０ｂが、通信が切断されたか否かを判定するステップＳ１〜ステップＳ３については、上述した処理と同じであるため、詳細は省略する。
【０１２３】
（ステップＳ２１）
ステップＳ３において、「通信は切断された」と判定された場合（ステップＳ３：ＹＥＳ）、エネルギー管理装置１０ｂの切断判定部２５は、通信が切断された旨を、切断情報出力部１５に通知する。切断情報出力部１５は、当該通知を受け取ると、切断情報および切断要因情報を、第２の管理装置通信部１１ｂを介してサーバ５０に対して出力する。
【０１２４】
（ステップＳ２２）
サーバ５０の情報取得部５２は、サーバ通信部５１を介して、切断情報および切断要因情報を取得する。情報取得部５２は、取得した切断情報および切断要因情報を、情報出力部５３に出力する。
【０１２５】
（ステップＳ２３）
情報出力部５３は、取得した切断情報および切断要因情報を、サーバ通信部５１を介して報知機器４０に対して出力する。
【０１２６】
（ステップＳ２４）
報知機器４０の報知情報取得部４２は、報知機器通信部４１を介して、切断情報および切断要因情報を取得する。報知情報取得部４２は、取得した切断情報および切断要因情報を、報知部４３に出力する。
【０１２７】
（ステップＳ２５）
報知部４３は、取得した切断情報が示す、通信が切断された旨と、取得した切断要因情報が示す切断要因の候補とを報知する。
【０１２８】
（ステップＳ２６）
報知機器４０の操作受付部４４は、ステップＳ２５において報知した切断要因の候補のうち、何れが選択されたのかを示す切断要因特定情報を取得する。そして、操作受付部４４は、取得した切断要因特定情報を、報知機器通信部４１を介してサーバ５０に出力する。
【０１２９】
（ステップＳ２７）
情報取得部５２は、サーバ通信部５１を介して、切断要因特定情報を取得する。情報取得部５２は、取得した切断要因特定情報を、情報出力部５３に出力する。
【０１３０】
（ステップＳ２８）
情報出力部５３は、取得した切断要因特定情報を、サーバ通信部５１を介して、エネルギー管理装置１０ｂに出力する。
【０１３１】
（ステップＳ２９）
エネルギー管理装置１０ｂの切断要因特定情報取得部１８は、第２の管理装置通信部１１ｂを介して、切断要因特定情報を取得する。切断要因特定情報取得部１８は、取得した切断要因特定情報を、報知内容情報出力部１９に出力する。
【０１３２】
（ステップＳ３０）
報知内容情報出力部１９は、取得した切断要因特定情報に関連付けられた報知内容を示す報知内容情報を、第２の管理装置通信部１１ｂを介してサーバ５０に出力する。
【０１３３】
（ステップＳ３１）
サーバ５０の情報取得部５２は、サーバ通信部５１を介して、報知内容情報を取得する。情報取得部５２は、取得した報知内容情報を情報出力部５３に出力する。
【０１３４】
（ステップＳ３２）
情報出力部５３は、サーバ通信部５１を介して、取得した報知内容情報を出力する。
【０１３５】
（ステップＳ３３）
報知機器４０の報知情報取得部４２は、報知機器通信部４１を介して、報知内容情報を取得する。報知情報取得部４２は、取得した報知内容情報を、報知部４３に出力する。
【０１３６】
（ステップＳ３４）
報知部４３は、取得した報知内容情報が示す報知内容を報知する。
【０１３７】
このように、実施形態３に係るエネルギー管理システム１ｂでは、エネルギー管理装置１０と消費エネルギー計測装置３０との間の通信が途切れると、エネルギー管理装置１０は、サーバ５０に切断情報を出力し、サーバ５０は切断情報を報知機器４０に対して出力する。したがって、エネルギー管理システム１ｂは、エネルギー管理装置１０と消費エネルギー計測装置３０との間の通信が途切れた場合、当該通信が途切れたことをユーザに通知することができる。
【０１３８】
〔実施形態４〕
本発明の他の実施形態について、図１４〜図２１に基づいて説明すれば、以下のとおりである。なお、説明の便宜上、前記実施形態にて説明した部材と同じ機能を有する部材については、同じ符号を付記し、その説明を省略する。
【０１３９】
図１４は、本発明の実施形態４に係るエネルギー管理システム１ｃの構成を示すブロック図である。図１４に示すように、エネルギー管理システム１ｃは、エネルギー管理装置１０ｃおよび消費エネルギー計測装置３０によって構成されている。上述した実施形態１〜３では、消費エネルギー計測装置３０とエネルギー管理装置１０との間の通信が途切れた場合に、エネルギー管理装置１０は、当該通信の切断要因に応じた処理を実行したが、当該処理を、ユーザに選択させる構成であってもよい。
【０１４０】
エネルギー管理装置１０ｃは、図１４に示すように、実施形態１におけるエネルギー管理装置１０の管理装置制御部１２に替えて、管理装置制御部１２ｃを備えている。
【０１４１】
（管理装置制御部１２ｃ）
管理装置制御部１２ｃは、実施形態１における管理装置制御部１２の切断情報出力部１５および報知内容情報出力部１９に替えて、切断要因情報出力部（切断要因情報出力手段）２０、処理内容情報管理部（管理手段）２１、処理内容情報出力部（処理内容情報出力手段）２２、および処理内容特定情報取得部２３として機能する。
【０１４２】
切断要因情報出力部２０は、切断判定部２５が、通信が切断されたと判定した場合、通信が切断された１又は複数の切断要因の候補を示す切断要因情報を出力する。
【０１４３】
処理内容情報管理部２１は、１又は複数の切断要因の候補の各々に、１又は複数の処理内容の候補を関連付けて管理する。処理内容情報管理部２１が切断要因の候補と処理内容の候補とを関連付ける例を、以下に挙げる。
【０１４４】
・切断要因「スマートメータを交換した」に関連付ける処理内容の候補は、「前のメータと比較できるように表示」、「前のメータのデータを削除して表示」、「前のメータのデータと連続して表示」
・切断要因「引っ越した」に関連付ける処理内容の候補は、「前の家と比較できるように表示」、「前の家のデータを削除して表示」、「前の家のデータと連続して表示」
・切断要因「停電があった」に関連付ける処理内容の候補は、「前のデータと連続して表示」
・切断要因「管理装置の電源が落ちていた」に関連付ける処理内容の候補は、「データを平均化して表示」、「前日までのデータを参考に補正して表示」、「データを復帰後にまとめて表示」
・切断要因「特に上記のことは起きていない」に関連付ける処理内容の候補は、「データを平均化して表示」、「前日までのデータを参考に補正して表示」、「データを復帰後にまとめて表示」
処理内容情報出力部２２は、切断要因特定情報を取得し、当該切断要因特定情報が示す切断要因に関連付けられている処理内容情報を、処理内容情報管理部２１から取得する。
【０１４５】
処理内容特定情報取得部２３は、１又は複数の処理内容の候補のうち何れが選択されたのかを示す処理内容特定情報を取得する。
【０１４６】
（エネルギー管理システム１ｃにおける処理）
図１５は、本発明の実施形態４に係るエネルギー管理システム１ｃにおける処理の流れを示すシーケンス図である。エネルギー管理システム１ｃにおける処理の流れについて、図１５を用いて説明する。
【０１４７】
消費エネルギー計測装置３０が、消費エネルギー情報をエネルギー管理装置１０ｃに対して出力し、エネルギー管理装置１０ｃが、通信が切断されたか否かを判定するステップＳ１〜ステップＳ３については、上述した処理と同じであるため、詳細は省略する。
【０１４８】
（ステップＳ４０）
ステップＳ３において、「通信は切断された」と判定された場合（ステップＳ３：ＹＥＳ）、エネルギー管理装置１０ｃの切断判定部２５は、通信が切断された旨を、切断要因情報出力部２０に通知する。切断要因情報出力部２０は、当該通知を受け取ると、切断要因情報を、報知部１６に出力する。報知部１６は、取得した切断要因情報が示す切断要因の候補を報知する。報知部１６が、切断要因の候補を報知する例を、図１６に示す。
【０１４９】
図１６は、本発明の実施形態４におけるエネルギー管理装置１０が、切断要因の候補を報知する例を示す図である。図１６に示すように、報知部１６は、切断要因の候補を示すテキスト画像「スマートメータを交換した」「引っ越した」「停電があった」「管理装置の電源が落ちていた」「特に上記のことは起きていない」を含む画像を表示することが挙げられる。
【０１５０】
また、図１７は、本発明の実施形態４におけるエネルギー管理装置１０が、切断要因の候補を報知する他の例を示す図である。
【０１５１】
例えば、エネルギー管理装置１０ｃと消費エネルギー計測装置３０との間の通信が切断され、再接続設定（パスワードの変更）が行われた場合、図１７の（ａ）に示すように、再接続設定を伴わない切断要因を示すテキスト画像（例えば、「停電があった」など）を含まない画像を表示してもよい。また、この場合に表示する画像は、再接続設定が行われたことを示すテキスト画像「スマートメータとの接続について、再接続設定（パスワードの変更）が行われました」を含んでもよい。
【０１５２】
また、例えば、エネルギー管理装置１０ｃが３０分間隔で消費エネルギー情報を取得する設定において、３日間、消費エネルギー情報が取得できなかった場合、長期間データが取得できなくなる切断要因以外の切断要因を示すテキスト画像（例えば、「停電があった」など）を含まない画像を表示してもよい。
【０１５３】
このように、エネルギー管理装置１０は、単に通信が切断されたという状態ではなく、より具体的な、例えば、通信が切断された後に再接続設定が行われた、通信が切断され、長期間データが取得できないといった状態に応じて、報知する切断要因を変更する構成であってもよい。
【０１５４】
（ステップＳ４１）
エネルギー管理装置１０ｃの切断要因特定情報取得部（切断要因特定情報取得手段）１８は、報知部１６がステップＳ４０において報知した切断要因の候補のうち、何れが選択されたのかを示す切断要因特定情報を入力受付部１７から取得する。そして、切断要因特定情報取得部１８は、取得した切断要因特定情報を、処理内容情報出力部２２に出力する。
【０１５５】
（ステップＳ４２）
処理内容情報出力部２２は、取得した切断要因特定情報を、処理内容情報管理部２１に出力する。処理内容情報管理部２１は、取得した切断要因特定情報に関連付けて管理している処理内容の候補示す処理内容情報を、処理内容情報出力部２２に出力する。処理内容情報出力部２２は、取得した処理内容情報を、報知部１６に出力する。報知部１６は、取得した処理内容情報が示す処理内容の候補を報知する。ここで、報知部１６が処理内容を報知する例を、図１８および図１９に示す。図１８は、本発明の実施形態４におけるエネルギー管理装置１０が、処理内容を報知する例を示す図である。また、図１９は、本発明の実施形態４におけるエネルギー管理装置１０が、処理内容を報知する他の例を示す図である。
【０１５６】
例えば、処理内容情報出力部２２が取得した切断要因特定情報が、「スマートメータを交換した」が選択されたことを示す場合、処理内容情報管理部２１は、切断要因「スマートメータを交換した」に関連付けられた処理内容の候補を示す処理内容情報を、処理内容情報出力部２２に出力し、処理内容情報出力部２２は、取得した処理内容情報を報知部１６に出力する。報知部１６は、図１８の（ａ）に示すように、切断要因「スマートメータを交換した」に関連付けられた処理内容の候補のテキスト画像「前のメータと比較できるように表示」、「前のメータのデータを削除して表示」、「前のメータのデータと連続して表示」を含む画像を表示する。なお、報知部１６が表示する処理内容候補のテキスト画像を含んだ画像には、図１８の（ａ）に示すように、最適だと考えられる処理内容の候補に「おすすめ！」を付し、当該処理内容が最適だと思われる旨を報知する構成であってもよい。
【０１５７】
また、例えば、処理内容情報出力部２２が取得した切断要因特定情報が、「引っ越した」が選択されたことを示す場合、処理内容情報管理部２１は、切断要因「引っ越した」に関連付けられた処理内容の候補を示す処理内容情報を、処理内容情報出力部２２に出力し、処理内容情報出力部２２は、取得した処理内容情報を報知部１６に出力する。報知部１６は、図１８の（ｂ）に示すように、切断要因「引っ越した」に関連付けられた処理内容の候補のテキスト画像「前の家と比較できるように表示」、「前の家のデータを削除して表示」、「前の家のデータと連続して表示」を含む画像を表示する。なお、上述した例と同様、最適だと思われる処理内容の候補に「おすすめ！」を付す構成であってもよい。
【０１５８】
また、例えば、処理内容情報出力部２２が取得した切断要因特定情報が、「停電があった」が選択されたことを示す場合、処理内容情報管理部２１は、切断要因「停電があった」に関連付けられた処理内容の候補を示す処理内容情報を、処理内容情報出力部２２に出力し、処理内容情報出力部２２は、取得した処理内容情報を報知部１６に出力する。報知部１６は、図１８の（ｃ）に示すように、切断要因「停電があった」に関連付けられた処理内容の候補のテキスト画像「前のデータと連続して表示」を含む画像を表示する。なお、図１８の（ｃ）に示すように、処理内容の候補が１つである場合は、「ＯＫ」ボタンおよび「ＮＧ」ボタンを表示し、当該処理内容を実行するか否かをユーザに選択させる構成であってもよい。
【０１５９】
また、例えば、処理内容情報出力部２２が取得した切断要因特定情報が、「管理装置の電源が落ちていた」が選択されたことを示す場合、処理内容情報出力部２２は、切断要因「管理装置の電源が落ちていた」に関連付けられた処理内容の候補を示す処理内容情報を、処理内容情報出力部２２に出力し、処理内容情報出力部２２は、取得した処理内容情報を報知部１６に出力する。報知部１６は、図１９の（ａ）に示すように、切断要因「管理装置の電源が落ちていた」に関連付けられた処理内容の候補のテキスト画像「データを平均化して表示」、「前日までのデータを参考に補正して表示」、「データを復帰後にまとめて表示」を含む画像を表示する。
【０１６０】
また、例えば、処理内容情報出力部２２が取得した切断要因特定情報が、「特に上記のことは起きていない」が選択されたことを示す場合、処理内容情報出力部２２は、切断要因「特に上記のことは起きていない」に関連付けられた処理内容の候補を示す処理内容情報を、処理内容情報出力部２２に出力し、処理内容情報出力部２２は、取得した処理内容情報を報知部１６に出力する。報知部１６は、図１９の（ｂ）に示すように、切断要因「特に上記のことは起きていない」に関連付けられた処理内容の候補のテキスト画像「データを平均化して表示」、「前日までのデータを参考に補正して表示」、「データを復帰後にまとめて表示」を含む画像を表示する。
【０１６１】
（ステップＳ４３）
エネルギー管理装置１０ｃの処理内容特定情報取得部２３は、報知部１６がステップＳ４２において報知した処理内容の候補のうち、何れが選択されたのかを示す処理内容特定情報を入力受付部１７から取得する。処理内容特定情報取得部２３は、取得した処理内容特定情報を、消費エネルギー情報処理部１４に出力する。
【０１６２】
（ステップＳ４４）
消費エネルギー情報処理部１４は、取得した処理内容特定情報が示す処理内容を実行する。消費エネルギー情報処理部１４は、処理内容を実行し、消費エネルギー情報を取得できなかった期間における消費エネルギー量をユーザに提示する（提示処理）。ここで、消費エネルギー情報処理部１４が処理内容を実行し、グラフ化した画像の例を、図２０および図２１に示す。図２０は、本発明の実施形態４におけるエネルギー管理装置１０が処理内容を実行した場合に表示されるグラフの画像の例であり、図２１は、本発明の実施形態４におけるエネルギー管理装置１０が処理内容を実行した場合に表示されるグラフの画像の他の例である。
【０１６３】
例えば、消費エネルギー情報処理部１４が取得した処理内容特定情報が、「前のメータと比較できるように表示」であった場合、図２０の（ａ）に示すように、消費エネルギー情報処理部１４は、消費エネルギー情報を取得できなかった期間７０の消費エネルギー量は表示しない。そして、消費エネルギー情報処理部１４は、消費エネルギー情報を取得できなかった期間７０以前の消費エネルギー量と、消費エネルギー情報を取得できなかった期間７０以降の消費エネルギー量とを表示する。こうすることにより、エネルギー管理装置１０は、ユーザに対して、前のメータの消費エネルギー量と、現在のメータの消費エネルギー量とを比較させることができる。
【０１６４】
また、例えば、消費エネルギー情報処理部１４が取得した処理内容特定情報が、「前のメータのデータを削除して表示」であった場合、図２０の（ｂ）に示すように、消費エネルギー情報処理部１４は、消費エネルギー情報を取得できなかった期間７０以前の消費エネルギー量は表示しない。
【０１６５】
また、例えば、消費エネルギー情報処理部１４が取得した処理内容特定情報が、「前のメータのデータと連続して表示」であった場合、図２０の（ｃ）に示すように、消費エネルギー情報処理部１４は、消費エネルギー情報を取得できなかった期間７０以前の消費エネルギー量と、消費エネルギー情報を取得できなかった期間７０以降の消費エネルギー量とが連続した値になるように、消費エネルギー情報を取得できなかった期間７０の消費エネルギー量を表示する。
【０１６６】
また、図２０では、消費エネルギー情報処理部１４は、消費エネルギー量の積算値を表示しているが、図２１に示すように、消費エネルギー情報処理部１４は、取得した消費エネルギー量と、直前に取得した消費エネルギー量との差分を表示する構成であってもよい。
【０１６７】
また、例えば、消費エネルギー情報処理部１４が取得した処理内容特定情報が、「前日までのデータを参考に補正して表示」であった場合、図２１の（ａ）に示すように、消費エネルギー情報処理部１４は、消費エネルギー情報を取得できなかった期間７０の時間帯における１０日前から前日までのデータや、１年前の同じ日のデータなどといった、前日までのデータを参考に、消費エネルギー情報を取得できなかった期間７０における消費エネルギー量を算出する構成であってもよい。
【０１６８】
また、例えば、消費エネルギー情報処理部１４が取得した処理内容特定情報が、「データを平均化して表示」であった場合、図２１の（ｂ）に示すように、消費エネルギー情報処理部１４は、消費エネルギー情報を取得できなかった期間７０の直後において取得した消費エネルギー量を、消費エネルギー情報を取得できなかった期間７０で割って平均化した消費エネルギー量を、消費エネルギー情報を取得できなかった期間７０における消費エネルギー量として表示する構成であってもよい。
【０１６９】
また、例えば、消費エネルギー情報処理部１４が取得した処理内容特定情報が、「データを復帰後にまとめて表示」であった場合、図２１の（ｃ）に示すように、消費エネルギー情報処理部１４は、消費エネルギー情報を取得できなかった期間７０の直後において取得した消費エネルギー量をそのまま表示する構成であってもよい。
【０１７０】
なお、図２０では、消費エネルギー情報処理部１４は、消費エネルギー量を折れ線グラフで表示し、図２１では、消費エネルギー情報処理部１４は、消費エネルギー量を棒グラフで表示しているが、これに限定されず、例えば、数値を表示する構成であってもよい。
【０１７１】
このように、実施形態４に係るエネルギー管理システム１ｃでは、エネルギー管理装置１０ｃと消費エネルギー計測装置３０との間の通信が途切れると、エネルギー管理装置１０ｃは、当該通信が切断された切断要因の候補を報知する。そして、エネルギー管理装置１０ｃは、当該切断要因の候補のうち何れが選択されたのかを示す切断要因特定情報を取得し、当該切断要因特定情報に関連付けられた処理内容であって、上記消費エネルギー情報に関する１又は複数の処理内容の候補を示す処理内容の候補を報知する。したがって、エネルギー管理システム１ｃでは、エネルギー管理装置１０ｃと消費エネルギー計測装置３０との間の通信が途切れた場合、エネルギー管理装置１０ｃが実行する処理をユーザが選択できるため、エネルギー管理装置１０ｃはユーザの意図に沿った処理を実行することができる。
【０１７２】
なお、実施形態４に係るエネルギー管理システム１ｃでは、切断要因に処理内容を関連付ける構成としたが、この構成に限定されず、切断要因に処理内容を関連付けることなく、例えば、エネルギー管理装置１０ｃと消費エネルギー計測装置３０との間の通信が途切れた場合、エネルギー管理装置１０ｃは、切断要因の候補を報知することなく、処理内容を報知する構成であってもよい。この構成においても、エネルギー管理システム１ｃが実行する処理をユーザが選択できるため、エネルギー管理装置１０ｃはユーザの意図に沿った処理を実行することができる。
【０１７３】
〔実施形態５〕
本発明の他の実施形態について、図２２および図２３に基づいて説明すれば、以下のとおりである。なお、説明の便宜上、前記実施形態にて説明した部材と同じ機能を有する部材については、同じ符号を付記し、その説明を省略する。
【０１７４】
図２２は、本発明の実施形態５に係るエネルギー管理システム１ｄの構成を示すブロック図である。図２２に示すように、エネルギー管理システム１ｄは、エネルギー管理装置１０ｄ、消費エネルギー計測装置３０、および報知機器（端末）４０によって構成されている。
【０１７５】
エネルギー管理装置１０ｄは、図２２に示すように、実施形態４におけるエネルギー管理装置１０ｃの管理装置制御部１２ｃに替えて、管理装置制御部１２ｄを備え、実施形態４におけるエネルギー管理装置１０ｃの管理装置通信部１１に替えて、第１の管理装置通信部１１ａおよび第２の管理装置通信部１２ｂを備えている。なお、第１の管理装置通信部１１ａおよび第２の管理装置通信部１２ｂは、実施形態３における第１の管理装置通信部１１ａおよび第２の管理装置通信部１２ｂと同じ機能を有するため、説明を省略する。
【０１７６】
管理装置制御部１２ｄは、実施形態４における管理装置制御部１２ｃの報知部１６および入力受付部１７として機能しない構成になっている。
【０１７７】
（エネルギー管理システム１ｄにおける処理）
図２３は、本発明の実施形態５に係るエネルギー管理システム１ｄにおける処理の流れを示すシーケンス図である。エネルギー管理システム１ｄにおける処理の流れについて、図２３を用いて説明する。
【０１７８】
消費エネルギー計測装置３０が、消費エネルギー情報をエネルギー管理装置１０ｄに対して出力し、エネルギー管理装置１０ｄが、通信が切断されたか否かを判定するステップＳ１〜ステップＳ３については、上述した処理と同じであるため、詳細は省略する。
【０１７９】
（ステップＳ５０）
ステップＳ３において、「通信は切断された」と判定された場合（ステップＳ３：ＹＥＳ）、エネルギー管理装置１０ｄの切断判定部２５は、通信が切断された旨を、切断要因情報出力部２０に通知する。切断要因情報出力部２０は、当該通知を受け取ると、切断要因情報を、第２の管理装置通信部１１ｂを介して報知機器４０に対して出力する。
【０１８０】
（ステップＳ５１）
報知機器４０の報知情報取得部４２は、報知機器通信部４１を介して、切断要因情報を取得する。報知情報取得部４２は、取得した切断要因情報を、報知部４３に出力する。
【０１８１】
（ステップＳ５２）
報知部４３は、取得した切断要因情報が示す切断要因の候補を報知する。
【０１８２】
（ステップＳ５３）
報知機器４０の操作受付部４４は、報知部４３がステップＳ５２において報知した切断要因の候補のうち、何れが選択されたのかを示す切断要因特定情報を取得する。操作受付部４４は、取得した切断要因特定情報を、報知機器通信部４１を介して、エネルギー管理装置１０ｄに出力する。
【０１８３】
（ステップＳ５４）
エネルギー管理装置１０ｄの切断要因特定情報取得部１８は、第２の管理装置通信部１１ｂを介して、切断要因特定情報を取得する。切断要因特定情報取得部１８は、取得した切断要因特定情報を、処理内容情報出力部２２に出力する。
【０１８４】
（ステップＳ５５）
処理内容情報出力部２２は、取得した切断要因特定情報を、処理内容情報管理部２１に出力する。処理内容情報管理部２１は、取得した切断要因特定情報に関連付けて管理している処理内容の候補示す処理内容情報を、処理内容情報出力部２２に出力する。処理内容情報出力部２２は、取得した処理内容情報を、第２の管理装置通信部１１ｂを介して、報知機器４０に出力する。
【０１８５】
（ステップＳ５６）
報知情報取得部４２は、報知機器通信部４１を介して、処理内容情報を取得する。報知情報取得部４２は、取得した処理内容情報を、報知部４３に出力する。
【０１８６】
（ステップＳ５７）
報知部４３は、取得した処理内容情報が示す処理内容の候補を報知する。
【０１８７】
（ステップＳ５８）
操作受付部４４は、報知部４３がステップＳ５７において報知した処理内容の候補のうち、何れが選択されたのかを示す処理内容特定情報を取得する。操作受付部４４は、取得した処理内容特定情報を、報知機器通信部４１を介して、エネルギー管理装置１０ｄに出力する。
【０１８８】
（ステップＳ５９）
エネルギー管理装置１０ｄの処理内容特定情報取得部２３は、第２の管理装置通信部１１ｂを介して、処理内容特定情報を取得する。処理内容特定情報取得部２３は、取得した処理内容特定情報を、消費エネルギー情報処理部１４に出力する。
【０１８９】
（ステップＳ６０）
消費エネルギー情報処理部１４は、取得した処理内容特定情報が示す処理内容を実行する。
【０１９０】
このように、実施形態５に係るエネルギー管理システム１ｄでは、エネルギー管理装置１０ｄと消費エネルギー計測装置３０との間の通信が途切れると、報知機器４０は、消費エネルギー情報に関する１又は複数の処理内容の候補を示す処理内容の候補を報知する。したがって、エネルギー管理システム１ｄでは、エネルギー管理装置１０ｄと消費エネルギー計測装置３０との間の通信が途切れた場合、エネルギー管理装置１０ｄはユーザの意図に沿った処理を実行することができる。
【０１９１】
〔実施形態６〕
本発明の他の実施形態について、図２４および図２５に基づいて説明すれば、以下のとおりである。なお、説明の便宜上、前記実施形態にて説明した部材と同じ機能を有する部材については、同じ符号を付記し、その説明を省略する。
【０１９２】
図２４は、本発明の実施形態６に係るエネルギー管理システム１ｅの構成を示すブロック図である。図２４に示すように、エネルギー管理システム１ｅは、エネルギー管理装置１０e、消費エネルギー計測装置３０、報知機器４０、およびサーバ５０によって構成されている。実施形態５に係るエネルギー管理システム１ｄでは、エネルギー管理装置１０と報知機器４０とが情報の送受信を行ったが、エネルギー管理装置１０ｄと報知機器４０とが、情報の送受信を、サーバ５０を介して行ってもよい。
【０１９３】
（エネルギー管理システム１ｅにおける処理）
図２５は、本発明の実施形態６に係るエネルギー管理システム１ｅにおける処理の流れを示すシーケンス図である。エネルギー管理システム１ｅにおける処理の流れについて、図２５を用いて説明する。
【０１９４】
消費エネルギー計測装置３０が、消費エネルギー情報をエネルギー管理装置１０ｅに対して出力し、エネルギー管理装置１０ｅが、通信が切断されたか否かを判定するステップＳ１〜ステップＳ３については、上述した処理と同じであるため、詳細は省略する。
【０１９５】
（ステップＳ７０）
ステップＳ３において、「通信は切断された」と判定された場合（ステップＳ３：ＹＥＳ）、エネルギー管理装置１０ｅの切断判定部２５は、通信が切断された旨を、切断要因情報出力部２０に通知する。切断要因情報出力部２０は、当該通知を受け取ると、切断要因情報を、管理装置通信部１１を介してサーバ５０に対して出力する。
【０１９６】
（ステップＳ７１）
サーバ５０の情報取得部５２は、サーバ通信部５１を介して、切断要因情報を取得する。情報取得部５２は、取得した切断要因情報を、情報出力部５３に出力する。
【０１９７】
（ステップＳ７２）
情報出力部５３は、取得した切断要因情報を、サーバ通信部５１を介して報知機器４０に対して出力する。
【０１９８】
（ステップＳ７３）
報知機器４０の報知情報取得部４２は、報知機器通信部４１を介して、切断要因情報を取得する。報知情報取得部４２は、取得した切断要因情報を、報知部４３に出力する。
【０１９９】
（ステップＳ７４）
報知部４３は、取得した切断要因情報が示す切断要因の候補を報知する。
【０２００】
（ステップＳ７５）
報知機器４０の操作受付部４４は、報知部４３がステップＳ７４において報知した切断要因の候補のうち、何れが選択されたのかを示す切断要因特定情報を取得する。そして、操作受付部４４は、取得した切断要因特定情報を、報知機器通信部４１を介してサーバ５０に出力する。
【０２０１】
（ステップＳ７６）
情報取得部５２は、サーバ通信部５１を介して、切断要因特定情報を取得する。情報取得部５２は、取得した切断要因特定情報を、情報出力部５３に出力する。
【０２０２】
（ステップＳ７７）
情報出力部５３は、取得した切断要因特定情報を、サーバ通信部５１を介して、エネルギー管理装置１０ｂに出力する。
【０２０３】
（ステップＳ７８）
エネルギー管理装置１０ｅの切断要因特定情報取得部１８は、管理装置通信部１１を介して、切断要因特定情報を取得する。切断要因特定情報取得部１８は、取得した切断要因特定情報を、処理内容情報出力部（処理内容情報管理装置出力手段）２２に出力する。
【０２０４】
（ステップＳ７９）
処理内容情報出力部２２は、取得した切断要因特定情報を、処理内容情報管理部２１に出力する。処理内容情報管理部２１は、取得した切断要因特定情報に関連付けて管理している処理内容の候補示す処理内容情報を、処理内容情報出力部２２に出力する。処理内容情報出力部２２は、取得した処理内容情報を、管理装置通信部１１を介して、サーバ５０に出力する。
【０２０５】
（ステップＳ８０）
サーバ５０の情報取得部（処理内容情報サーバ取得手段）５２は、サーバ通信部５１を介して、処理内容情報を取得する。情報取得部５２は、取得した処理内容情報を情報出力部（処理内容情報サーバ出力手段）５３に出力する。
【０２０６】
（ステップＳ８１）
情報出力部５３は、取得した処理内容情報を、サーバ通信部５１を介して、報知機器４０に対して出力する。
【０２０７】
（ステップＳ８２）
報知機器４０の報知情報取得部（処理内容情報端末取得手段）４２は、報知機器通信部４１を介して、処理内容情報を取得する。報知情報取得部４２は、取得した処理内容情報を、報知部（報知手段）４３に出力する。
【０２０８】
（ステップＳ８３）
報知部４３は、報知内容情報を取得すると、報知内容情報が示す報知内容を報知する。
【０２０９】
（ステップＳ８４）
操作受付部４４は、報知部４３がステップＳ８３において報知した処理内容の候補のうち、何れが選択されたのかを示す処理内容特定情報を取得する。操作受付部４４は、取得した処理内容特定情報を、報知機器通信部４１を介して、サーバ５０に対して出力する。
【０２１０】
（ステップＳ８５）
情報取得部５２は、サーバ通信部５１を介して、処理内容特定情報を取得する。情報取得部５２は、取得した処理内容特定情報を、情報出力部５３に出力する。
【０２１１】
（ステップＳ８６）
情報出力部５３は、取得した処理内容特定情報を、サーバ通信部５１を介して、エネルギー管理装置１０ｂに出力する。
【０２１２】
（ステップＳ８７）
エネルギー管理装置１０ｅの処理内容特定情報取得部２３は、管理装置通信部１１を介して、処理内容特定情報を取得する。処理内容特定情報取得部２３は、取得した処理内容特定情報を、消費エネルギー情報処理部１４に出力する。
【０２１３】
（ステップＳ８８）
消費エネルギー情報処理部１４は、取得した処理内容特定情報が示す処理内容を実行する。
【０２１４】
このように、実施形態６に係るエネルギー管理システム１ｅでは、エネルギー管理装置１０ｅと消費エネルギー計測装置３０との間の通信が途切れると、エネルギー管理装置１０ｅは、サーバ５０に対して処理内容情報を出力し、サーバ５０は処理内容情報を報知機器４０に対して出力する。したがって、エネルギー管理システム１ｅでは、エネルギー管理装置１０ｅはユーザの意図に沿った処理を実行することができる。
【０２１５】
〔実施形態７〕
本発明の他の実施形態について、図２６および図２７に基づいて説明すれば、以下のとおりである。なお、説明の便宜上、前記実施形態にて説明した部材と同じ機能を有する部材については、同じ符号を付記し、その説明を省略する。
【０２１６】
図２６は、本発明の実施形態７に係るエネルギー管理システム１ｆの構成を示すブロック図である。図２６に示すように、エネルギー管理システム１ｆは、エネルギー管理装置１０ｆ、消費エネルギー計測装置３０、報知機器（端末）４０、およびサーバ５０ｆによって構成されている。実施形態６に係るエネルギー管理システム１ｅにおいて、エネルギー管理装置１０ｅが実行していた処理の一部を、サーバ５０ｆが実行する構成であってもよい。
【０２１７】
（エネルギー管理装置１０ｆ）
エネルギー管理装置１０ｆは、図２６に示すように、実施形態６におけるエネルギー管理装置１０ｅの管理装置制御部１２ｅに替えて、管理装置制御部１２ｆを備えている。
【０２１８】
管理装置制御部１２ｆは、消費エネルギー情報取得部（消費電力情報管理装置取得手段）１３および消費エネルギー情報出力部（消費電力情報管理装置出力手段）２４として機能する。
【０２１９】
消費エネルギー情報出力部２４は、管理装置通信部１１を制御し、消費エネルギー情報取得部１３が取得した消費エネルギー情報を出力する。
【０２２０】
（サーバ５０ｆ）
サーバ５０ｆは、図２６に示すように、サーバ通信部５１およびサーバ制御部５４を備えている。また、サーバ制御部５４は、図２６に示すように、消費エネルギー情報取得部（消費電力情報サーバ取得手段）５５、消費エネルギー情報処理部５６、切断要因情報出力部５７、切断要因特定情報取得部５８、処理内容情報管理部５９、処理内容情報出力部（処理内容情報出力手段）６０、処理内容特定情報取得部６１、および切断判定部（切断判定手段）６２として機能する。
【０２２１】
消費エネルギー情報取得部５５は、実施形態５における消費エネルギー情報取得部１３と同じ機能を備える。
【０２２２】
消費エネルギー情報処理部５６は、実施形態５における消費エネルギー情報処理部１４と同じ機能を備える。
【０２２３】
切断要因情報出力部５７は、実施形態５における切断要因情報出力部２０と同じ機能を備える。
【０２２４】
切断要因特定情報取得部５８は、実施形態５における切断要因特定情報取得部１８と同じ機能を備える。
【０２２５】
処理内容情報管理部５９は、実施形態５における処理内容情報管理部２１と同じ機能を備える。
【０２２６】
処理内容情報出力部６０は、実施形態５における処理内容情報出力部２２と同じ機能を備える。
【０２２７】
処理内容特定情報取得部６１は、実施形態５における処理内容特定情報取得部２３と同じ機能を備える。
【０２２８】
切断判定部６２は、実施形態５における切断判定部２５と同じ機能を備える。
【０２２９】
（エネルギー管理システム１ｆにおける処理）
図２７は、本発明の実施形態７に係るエネルギー管理システム１ｆにおける処理の流れを示すシーケンス図である。エネルギー管理システム１ｆにおける処理の流れについて、図２７を用いて説明する。
【０２３０】
（ステップＳ１）
消費エネルギー計測装置３０の消費エネルギー計測部３２は、計測した消費エネルギー量を示す消費エネルギー情報を、消費エネルギー情報出力部３３に出力する。消費エネルギー情報出力部３３は、取得した消費エネルギー情報を、計測装置通信部３１を介して、エネルギー管理装置１０に出力する。
【０２３１】
（ステップＳ１００）
エネルギー管理装置１０ｆの消費エネルギー情報取得部１３は、管理装置通信部１１を介して、消費エネルギー情報を取得する。消費エネルギー情報取得部１３は、取得した消費エネルギー情報を、消費エネルギー情報出力部２４に出力する。
【０２３２】
（ステップＳ１０１）
消費エネルギー情報出力部２４は、取得した消費エネルギー情報を、管理装置通信部１１を介して、サーバ５０ｆに出力する。
【０２３３】
（ステップＳ１０２）
サーバ５０ｆの消費エネルギー情報取得部５５は、消費エネルギー情報を取得したか否かを判定する。
【０２３４】
ステップＳ１０２において、「消費エネルギー情報を取得している」と判定された場合（ステップＳ２：ＹＥＳ）、消費エネルギー情報取得部５５は、取得した消費エネルギー情報を消費エネルギー情報処理部５６に出力し、図２７の処理は終了する。
【０２３５】
（ステップＳ１０３）
一方、ステップＳ１０２において、「消費エネルギー情報を取得していない」と判定された場合（ステップＳ１０２：ＮＯ）、切断判定部６２は、通信が切断されたか否かを判定する。
【０２３６】
ステップＳ１０３において、「通信は切断されていない」と判定された場合（ステップＳ１０３：ＮＯ）、消費エネルギー情報取得部５５は、消費エネルギー情報を取得したか否かを判定するため、ステップＳ１０２の処理に戻る。
【０２３７】
（ステップＳ１０４）
ステップＳ１０３において、「通信は切断された」と判定された場合（ステップＳ１０３：ＹＥＳ）、切断判定部６２は、通信が切断された旨を、切断要因情報出力部５７に通知する。切断要因情報出力部５７は、当該通知を受け取ると、切断要因情報を、サーバ通信部５１を介して報知機器４０に対して出力する。
【０２３８】
（ステップＳ１０５）
報知機器４０の報知情報取得部４２は、報知機器通信部４１を介して、切断要因情報を取得する。報知情報取得部４２は、取得した切断要因情報を、報知部４３に出力する。
【０２３９】
（ステップＳ１０６）
報知部４３は、取得した切断要因情報が示す切断要因の候補を報知する。
【０２４０】
（ステップＳ１０７）
報知機器４０の操作受付部４４は、報知部４３がステップＳ１０６において報知した切断要因の候補のうち、何れが選択されたのかを示す切断要因特定情報を取得する。操作受付部４４は、取得した切断要因特定情報を、報知機器通信部４１を介してサーバ５０ｆに出力する。
【０２４１】
（ステップＳ１０８）
サーバ５０ｆの切断要因特定情報取得部５８は、サーバ通信部５１を介して、切断要因特定情報を取得する。切断要因特定情報取得部５８は、取得した切断要因特定情報を、処理内容情報出力部６０に出力する。
【０２４２】
（ステップＳ１０９）
処理内容情報出力部６０は、取得した切断要因特定情報を、処理内容情報管理部５９に出力する。処理内容情報管理部５９は、取得した切断要因特定情報に関連付けて管理している処理内容の候補を示す処理内容情報を、処理内容情報出力部６０に出力する。処理内容情報出力部６０は、取得した処理内容情報を、サーバ通信部５１を介して、報知機器４０に出力する。
【０２４３】
（ステップＳ１１０）
報知情報取得部（処理内容情報取得手段）４２は、報知機器通信部４１を介して、処理内容情報を取得する。報知情報取得部４２は、取得した処理内容情報を、報知部４３に出力する。
【０２４４】
（ステップＳ１１１）
報知部４３は、取得した処理内容情報が示す処理内容の候補を報知する。
【０２４５】
（ステップＳ１１２）
操作受付部４４は、報知部４３がステップＳ１１１において報知した処理内容の候補のうち、何れが選択されたのかを示す処理内容特定情報を取得する。操作受付部４４は、取得した処理内容特定情報を、報知機器通信部４１を介して、サーバ５０ｆに対して出力する。
【０２４６】
（ステップＳ１１３）
サーバ５０ｆの処理内容特定情報取得部６１は、サーバ通信部５１を介して、処理内容特定情報を取得する。処理内容特定情報取得部２３は、取得した処理内容特定情報を、消費エネルギー情報処理部５６に出力する。
【０２４７】
（ステップＳ１１４）
消費エネルギー情報処理部１１４は、取得した処理内容特定情報が示す処理内容を実行する。
【０２４８】
このように実施形態７に係るエネルギー管理システム１ｆでは、サーバ５０ｆは、エネルギー管理装置１０と消費エネルギー計測装置３０との間の通信が途切れると、報知機器４０に対して処理内容情報を出力する。したがって、エネルギー管理システム１ｆでは、エネルギー管理装置１０ｆはユーザの意図に沿った処理を実行することができる。
【０２４９】
〔実施形態８〕
エネルギー管理装置１０〜１０ｆの管理装置制御部１２〜１２ｆは、集積回路（ＩＣチップ）等に形成された論理回路（ハードウェア）によって実現してもよいし、ＣＰＵ（Central Processing Unit）を用いてソフトウェアによって実現してもよい。
【０２５０】
後者の場合、エネルギー管理装置１０〜１０ｆは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２５１】
〔まとめ〕
本発明の態様１に係る電力管理装置（１０）は、消費電力量を計測する消費電力計測装置（３０）から通信を介して当該消費電力量を示す消費電力情報を取得する消費電力情報取得手段（消費エネルギー情報取得部１３）と、上記通信が切断されたか否かを判定する切断判定手段（切断判定部２５）と、上記切断判定手段が、上記通信が切断されたと判定した場合、上記消費電力情報に関する１又は複数の処理内容の候補を示す処理内容情報を出力する処理内容情報出力手段（処理内容情報出力部２２）と、を備えている。
【０２５２】
上記の構成によれば、電力管理装置と消費電力計測装置との間の通信が途切れると、電力管理装置は、消費電力情報に関する１又は複数の処理内容の候補を示す処理内容情報を出力する。したがって、電力管理装置と消費電力計測装置との間の通信が途切れた場合、電力管理装置は、ユーザの意図に沿った処理を実行することができる。
【０２５３】
本発明の態様２に係る電力管理装置は、上記態様１において、上記切断判定手段が、上記通信が切断されたと判定した場合、上記通信に関する１又は複数の切断要因の候補を示す切断要因情報を出力する切断要因情報出力手段（切断要因情報出力部２０）をさらに備えてもよい。
【０２５４】
上記の構成によれば、電力管理装置と消費電力計測装置との間の通信が途切れると、電力管理装置は、通信に関する１又は複数の切断要因の候補を示す切断要因情報を出力する。したがって、電力管理装置と消費電力計測装置との間の通信が途切れた場合、電力管理装置は、ユーザの意図に沿った処理を実行することができる。
【０２５５】
本発明の態様３に係る電力管理装置は、上記態様２において、上記１又は複数の切断要因の候補の各々を、上記１又は複数の処理内容の候補に関連付けて管理する管理手段（処理内容情報管理部２１）と、上記切断要因の候補のうち何れが選択されたのかを示す切断要因特定情報を取得する切断要因特定情報取得手段（切断要因特定情報取得部１８）と、をさらに備え、上記処理内容情報出力手段が出力する処理内容情報は、上記切断要因特定情報取得手段が取得した上記切断要因特定情報に関連付けられた処理内容を示すものであってもよい。
【０２５６】
上記の構成によれば、電力管理装置は、切断要因を特定する切断要因特定情報に関連付けられた処理内容の候補を出力する。したがって、電力管理装置と消費電力計測装置との間の通信が途切れた場合、電力管理装置は、ユーザの意図に沿った処理を実行することができる。
【０２５７】
本発明の態様４に係る電力管理装置は、上記態様１〜３において、上記処理内容情報が示す１又は複数の処理内容の候補には、上記切断判定手段が、上記通信が切断されたと判定した期間における消費電力量をユーザに提示する提示処理が含まれてもよい。
【０２５８】
上記の構成によれば、電力管理装置と消費電力計測装置との間の通信が途切れた場合、電力管理装置は、上記通信が切断された期間における消費電力量をユーザに提示する。したがって、電力管理装置は、取得できなかった期間における消費電力量を好適にユーザに提示することができる。
【０２５９】
本発明の態様５に係る電力管理装置は、上記態様１〜４において、上記切断判定手段は、上記消費電力情報取得手段が上記消費電力情報を所定の期間、取得できなかった場合、上記通信が切断されたと判定してもよい。
【０２６０】
上記の構成によれば、電力管理装置は、消費電力情報を取得できなくなると、電力管理装置と消費電力計測装置との間の通信が途切れたと判定する。したがって、電力管理装置は、簡易な構成で、通信が途切れたことをユーザに通知することができる。
【０２６１】
本発明の態様６に係る電力管理装置は、上記態様１〜５において、上記処理内容情報出力手段が出力した上記処理内容情報を取得し、上記処理内容情報が示す、上記消費電力情報に関する１又は複数の処理内容の候補を報知する報知手段（報知部１６）をさらに備えてもよい。
【０２６２】
上記の構成によれば、電力管理装置と消費電力計測装置との間の通信が途切れた場合、電力管理装置は、消費電力情報に関する１または複数の処理内容の候補を報知する。したがって、電力管理装置と消費電力計測装置との間の通信が途切れた場合、電力管理装置は、ユーザの意図に沿った処理を好適にユーザに報知することができる。
【０２６３】
本発明の態様７に係る電力管理装置は、上記態様１〜５において、上記処理内容情報出力手段は、上記処理内容情報を、報知機器（４０）または外部サーバ（サーバ５０）に出力してもよい。
【０２６４】
上記の構成によれば、電力管理装置と消費電力計測装置との間の通信が途切れた場合、電力管理装置は、処理内容情報を、報知機器または外部サーバに出力する。したがって、電力管理装置と消費電力計測装置との間の通信が途切れた場合、電力管理装置は、ユーザの意図に沿った処理を好適にユーザに報知することができる。
【０２６５】
本発明の態様８に係る電力管理システム（１ｃ）は、消費電力計測装置（３０）と電力管理装置（１０ｃ）とからなる電力管理システムであって、上記消費電力計測装置は、消費電力量を計測し、通信を介して当該消費電力量を示す消費電力情報を上記電力管理装置に対して出力する消費電力情報出力手段（消費エネルギー情報出力部３３）を備え、上記電力管理装置は、上記消費電力計測装置から上記消費電力情報を取得する消費電力情報取得手段（消費エネルギー情報取得部１３）と、上記通信が切断されたか否かを判定する切断判定手段（切断判定部２５）と、上記切断判定手段が、上記通信が切断されたと判定した場合、上記消費電力情報に関する１又は複数の処理内容の候補を示す処理内容情報を出力する処理内容情報出力手段（処理内容情報出力部２２）と、を備えることを特徴とする電力管理システム。
【０２６６】
上記の構成によれば、電力管理システムは、上記態様１と同様の効果を奏する。
【０２６７】
本発明の態様９に係る電力管理システム（１ｆ）は、消費電力計測装置（３０）と電力管理装置（１０ｆ）とサーバ（５０ｆ）と端末（報知機器４０）とからなる電力管理システムであって、上記消費電力計測装置は、消費電力量を計測し、通信を介して当該消費電力量を示す消費電力情報を上記電力管理装置に対して出力する消費電力情報出力手段（消費エネルギー情報出力部３３）を備え、上記電力管理装置は、上記消費電力計測装置から上記消費電力情報を取得する消費電力情報管理装置取得手段（消費エネルギー情報取得部１３）と、上記消費電力情報管理装置取得手段が取得した上記消費電力情報を上記サーバに対して出力する消費電力情報管理装置出力手段（消費エネルギー情報出力部２４）と、を備え、上記サーバは、上記電力管理装置から上記消費電力情報を取得する消費電力情報サーバ取得手段（消費エネルギー情報取得部５５）と、上記通信が切断されたか否かを判定する切断判定手段（切断判定部６２）と、上記切断判定手段が、上記通信が切断されたと判定した場合、上記消費電力情報に関する１又は複数の処理内容の候補を示す処理内容情報を出力する処理内容情報出力手段（処理内容情報出力部６０）と、を備え、上記端末は、上記サーバから上記処理内容情報を取得する処理内容情報取得手段（報知情報取得部４２）と、上記処理内容情報取得手段が取得した上記処理内容情報が示す、上記消費電力情報に関する１又は複数の処理内容の候補を報知する報知手段（報知部４３）と、を備える。
【０２６８】
上記の構成によれば、電力管理システムは、上記態様１と同様の効果を奏する。
【０２６９】
本発明の態様１０に係る電力管理システム（１ｅ）は、消費電力計測装置（３０）と電力管理装置（１０ｅ）とサーバ（５０）と端末（報知機器４０）とからなる電力管理システムであって、上記消費電力計測装置は、消費電力量を計測し、通信を介して当該消費電力量を示す消費電力情報を上記電力管理装置に対して出力する消費電力情報出力手段（消費エネルギー情報出力部３３）を備え、上記電力管理装置は、上記消費電力計測装置から上記消費電力情報を取得する消費電力情報取得手段（消費エネルギー情報取得部１３）と、上記通信が切断されたか否かを判定する切断判定手段（切断判定部２５）と、上記切断判定手段が、上記通信が切断されたと判定した場合、上記消費電力情報に関する１又は複数の処理内容の候補を示す処理内容情報を出力する処理内容情報管理装置出力手段（処理内容情報出力部２２）と、を備え、上記サーバは、上記電力管理装置から上記処理内容情報を取得する処理内容情報サーバ取得手段（情報取得部５２）と、上記処理内容情報サーバ取得手段が取得した上記処理内容情報を上記端末に対して出力する処理内容情報サーバ出力手段（情報出力部５３）と、を備え、上記端末は、上記サーバから上記処理内容情報を取得する処理内容情報端末取得手段（報知情報取得部４２）と、上記処理内容情報端末取得手段が取得した上記処理内容情報が示す、上記消費電力情報に関する１又は複数の処理内容の候補を報知する報知手段（報知部４３）と、を備える。
【０２７０】
上記の構成によれば、電力管理システムは、上記態様１と同様の効果を奏する。
【０２７１】
本発明の態様１１に係るサーバ（５０ｆ）は、消費電力量を計測する消費電力計測装置から通信を介して当該消費電力量を示す消費電力情報を取得する電力管理装置から、当該消費電力情報を取得する消費電力情報取得手段（消費エネルギー情報取得部５５）と、上記通信が切断されたか否かを判定する切断判定手段（切断判定部２５）と、上記切断判定手段が、上記通信が切断されたと判定した場合、上記消費電力情報に関する１又は複数の処理内容の候補を示す処理内容情報を出力する処理内容情報出力手段（処理内容情報出力部６０）と、を備える。
【０２７２】
上記の構成によれば、サーバは、上記態様１と同様の効果を奏する。
【０２７３】
本発明の態様１２に係るサーバ（５０ｅ）は、消費電力量を計測する消費電力計測装置から通信を介して当該消費電力量を示す消費電力情報を取得する電力管理装置が、上記通信が切断された場合に出力する処理内容情報であって、当該消費電力情報に関する１又は複数の処理内容の候補を示す処理内容情報を取得する処理内容情報取得手段（情報取得部５２）と、上記処理内容情報取得手段が取得した上記処理内容情報を出力する処理内容情報出力手段（情報出力部５３）と、を備える。
【０２７４】
上記の構成によれば、サーバは、上記態様１と同様の効果を奏する。
【０２７５】
本発明の態様１３に係る端末（報知機器４０）は、消費電力量を計測する消費電力計測装置から通信を介して当該消費電力量を示す消費電力情報を取得する電力管理装置が、上記通信が切断された場合に出力される処理内容情報であって、当該消費電力情報に関する１又は複数の処理内容の候補を示す処理内容情報を取得する処理内容情報取得手段（報知情報取得部４２）と、上記１又は複数の処理内容の候補を報知する報知手段（報知部４３）と、を備える。
【０２７６】
上記の構成によれば、端末は、上記態様１と同様の効果を奏する。
【０２７７】
本発明の態様１４に係る電力管理方法は、消費電力量を計測し、通信を介して当該消費電力量を示す消費電力情報を出力する消費電力情報出力工程と、上記消費電力情報出力工程において出力された上記消費電力情報を取得する消費電力情報取得工程と、上記通信が切断されたか否かを判定する切断判定工程と、上記切断判定工程において、上記通信が切断されたと判定された場合、上記消費電力情報に関する１又は複数の処理内容の候補を示す処理内容情報を出力する処理内容情報出力工程と、上記処理内容情報出力工程において出力された上記処理内容情報を取得する処理内容情報取得工程と、上記処理内容情報取得工程において取得された上記処理内容情報が示す、上記消費電力情報を処理する１又は複数の処理内容の候補を報知する報知工程と、を含む。
【０２７８】
上記の構成によれば、電力管理方法は、上記態様１と同様の効果を奏する。
【０２７９】
本発明の各態様に係る電力管理装置（１０）は、コンピュータによって実現してもよく、この場合には、コンピュータを上記電力管理装置が備える各手段として動作させることにより上記電力管理装置をコンピュータにて実現させる電力管理装置の制御プログラム、およびそれを記録したコンピュータ読み取り可能な記録媒体も、本発明の範疇に入る。
【０２８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２８１】
本発明は、スマートメータとＨＥＭＳとが直接通信するＢルートにおいて、利用することができる。
【符号の説明】
【０２８２】
１〜１ｆ  エネルギー管理システム（電力管理システム）
２〜２ｂ  ネットワーク
１０〜１０ｆ  エネルギー管理装置（電力管理装置）
１１  管理装置通信部
１１ａ  第１の管理装置通信部
１１ｂ  第２の管理装置通信部
１２〜１２ｆ  管理装置制御部
１３  消費エネルギー情報取得部（消費電力情報取得手段、消費電力情報管理装置取得手段）
１４  消費エネルギー情報処理部
１５  切断情報出力部
１６  報知部（報知手段）
１７  入力受付部
１８  切断要因特定情報取得部（切断要因特定情報取得手段）
１９  報知内容情報出力部（報知内容情報出力手段）
２０  切断要因情報出力部（切断要因情報出力手段）
２１  処理内容情報管理部（管理手段）
２２  処理内容情報出力部（処理内容情報出力手段、処理内容情報管理装置出力手段）
２３  処理内容特定情報取得部
２４  消費エネルギー情報出力部（消費電力情報管理装置出力手段）
２５  切断判定部（切断判定手段）
３０  消費エネルギー計測装置
３１  計測装置通信部
３２  消費エネルギー計測部
３３  消費エネルギー情報出力部（消費電力情報出力手段）
４０  報知機器（端末）
４１  報知機器通信部
４２  報知情報取得部（処理内容情報取得手段、処理内容情報端末取得手段）
４３  報知部（報知手段）
４４  操作受付部
５０、５０ｆ  サーバ
５１  サーバ通信部
５２  情報取得部（処理内容情報サーバ取得手段、処理内容情報取得手段）
５３  情報出力部（処理内容情報サーバ出力手段、処理内容情報出力手段）
５４  サーバ制御部
５５  消費エネルギー情報取得部（消費電力情報サーバ取得手段、消費電力情報取得手段）
５６  消費エネルギー情報処理部
５７  切断要因情報出力部
５８  切断要因特定情報取得部
５９  管理部
６０  処理内容情報出力部（処理内容情報出力手段）
６１  処理内容特定情報取得部
６２  切断判定部（切断判定手段）
【図１】
0005960196.tif 000002
【図２】
0005960196.tif 000003
【図３】
0005960196.tif 000004
【図４】
0005960196.tif 000005
【図５】
0005960196.tif 000006
【図６】
0005960196.tif 000007
【図７】
0005960196.tif 000008
【図８】
0005960196.tif 000009
【図９】
0005960196.tif 000010
【図１０】
0005960196.tif 000011
【図１１】
0005960196.tif 000012
【図１２】
0005960196.tif 000013
【図１３】
0005960196.tif 000014
【図１４】
0005960196.tif 000015
【図１５】
0005960196.tif 000016
【図１６】
0005960196.tif 000017
【図１７】
0005960196.tif 000018
【図１８】
0005960196.tif 000019
【図１９】
0005960196.tif 000020
【図２０】
0005960196.tif 000021
【図２１】
0005960196.tif 000022
【図２２】
0005960196.tif 000023
【図２３】
0005960196.tif 000024
【図２４】
0005960196.tif 000025
【図２５】
0005960196.tif 000026
【図２６】
0005960196.tif 000027
【図２７】
0005960196.tif 000028
【図２８】
0005960196.tif 000029